(57)【要約】航空機部品と共に使用するためのアップロック装置（１０１）は，航空機部品に取り付けられた捕捉ピン（126）と係合させるフック（１０２）を備える。フック（１０２）は，閉鎖位置及び開放位置の間を移動できるように取り付けられている。アップロック装置（１０１）は，フック（１０２）が閉鎖位置にあるときにピン（１２６）がフック（１０２）と係合しているか否かを検出するためのインジケータシステム（１３０）を更に備える。 【選択図】図３（ａ）
2020512953.tif 000002
【特許請求の範囲】
【請求項１】
航空機部品と共に使用するためのアップロック装置であって，該アップロック装置は，前記航空機部品に取り付けられた捕捉ピンと係合する構成とされたフックを備え，該フックは，閉鎖位置及び開放位置の間を移動できるように取り付けられ，前記アップロック装置は，前記フックが閉鎖位置にあるときに前記ピンが前記フックに係合しているか否かを検出するインジケータシステムを更に備える，アップロック装置。。 
【請求項２】
請求項１に記載のアップロック装置であって，前記インジケータシステムが，第１位置及び第２位置の間を移動できるように取り付けられたインジケータ部材と，該インジケータ部材の位置を検出するように構成されたセンサと，を備え，前記アップロック装置は，使用中，前記フックが閉鎖位置にあって前記ピンが前記フックに係合していれば，前記インジケータ部材が前記第１位置を占め，前記フックが閉鎖位置にあるも前記ピンが前記フックに係合していなければ，前記インジケータ部材が前記第２位置を占める構成とされている，アップロック装置。 
【請求項３】
請求項２に記載のアップロック装置であって，前記フックに係合した前記捕捉ピンが前記インジケータ部材を前記第１位置に維持し，前記フックが閉鎖位置に留まっているも前記ピンが前記フックに係合しなくなると，前記インジケータ部材が前記第１位置から前記第２位置に向けて移動する構成とされている，アップロック装置。
【請求項４】
請求項２又は３に記載のアップロック装置であって，前記インジケータ部材は前記第２位置に向かけて付勢され，通常の使用において，前記インジケータ部材は，前記フックに係合したピンによって力が及ぼされない場合に，前記第２位置に留まる構成とされている，アップロック装置。
【請求項５】
請求項２〜４の何れか一項に記載のアップロック装置であって，前記センサが近接センサであり，前記インジケータ部材がセンサターゲットに接続され，前記インジケータ部材が前記第１位置にあれば，前記ターゲットが前記近接センサに隣接する第１位置を占め，前記インジケータ部材が前記第２位置にあれば，前記ターゲットが前記近接センサから離れた第２位置を占める構成とされている，アップロック装置。
【請求項６】
請求項２〜５の何れか一項に記載のアップロック装置であって，前記捕捉ピンは，前記ピンが前記フックに係合するときに前記インジケータ部材に接触する構成とされている，アップロック装置。
【請求項７】
請求項１〜６の何れか一項に記載のアップロック装置であって，該アップロック装置は，前記フックを閉鎖位置にロックするためのロック手段を更に備え，前記インジケータシステムは，前記ロック手段が解除されたときに前記フックを閉鎖位置に維持するバイアス機構を備え，前記フックに係合する捕捉ピンにより前記フックに及ぼされる力が，前記バイアス機構によるバイアス力に十分に打ち勝って前記フックを閉鎖位置から開放位置に向けて移動させる構成とされている，アップロック装置。 
【請求項８】
請求項７に記載のアップロック装置であって，前記バイアス機構は，前記閉鎖位置において前記バイアス機構が前記フックを前記閉鎖位置に維持するも，前記フックが閉鎖位置から所定のポイントを超えて離れると前記バイアス機構が前記フックを開放位置に復帰させる構成とされている，アップロック装置。
【請求項９】
請求項８に記載のアップロック装置であって，前記バイアス機構は，前記フックを閉鎖位置に維持するための第１ばねと，前記フックを開放位置に向けて移動させるための第２ばねと，を備え，前記フックが閉鎖位置にあるときに，前記第１ばねにより前記フックに及ぼされる力が，前記第２ばねにより前記フックに及ぼされる力よりも大である，アップロック装置。
【請求項１０】
請求項９に記載のアップロック装置であって，前記フックが前記閉鎖位置から所定の角度だけ回転したときに，前記第２のばねにより前記フックに及ぼされる力が，前記第１のばねにより前記フックに及ぼされる力よりも大である，アップロック装置。
【請求項１１】
請求項７〜１０の何れか一項に記載のアップロック装置であって，前記バイアス機構は，前記閉鎖位置から離れる前記フックの動きに抵抗するための摩擦力発生器を備える，アップロック装置。 
【請求項１２】
請求項７〜１１の何れか一項に記載のアップロック装置であって，前記ロック手段は，前記ロック部材が前記フックの移動を防止するロック位置と，前記フックの移動を許容するロック解除位置との間を移動させることのできるロック部材を含み，通常の使用において，前記フックが閉鎖モードである場合にのみ，前記ロック部材がロック位置を占めることのできる構成とされている，アップロック装置。
【請求項１３】
請求項１２に記載のアップロック装置であって，前記ロック部材の位置を検出するためのセンサを含む，アップロック装置。
【請求項１４】
請求項１〜１３の何れか一項に記載のアップロック装置であって，前記インジケータシステムは，及ぼされる力に応じて変化する電気的出力を生成するためのロードセルを備え，該ロードセルは，前記アップロック装置上，前記航空機部品上又は前記アップロック装置からの荷重に応動するその他の航空機構造上のポイントで荷重を測定する構成とされている，アップロック装置。
【請求項１５】
請求項１４に記載のアップロック装置であって，前記ロードセルが，前記フックの歪みを測定するための歪みゲージである，アップロック装置。
【請求項１６】
請求項１〜１５の何れか一項に記載のアップロック装置であって，前記インジケータシステムが，センサワイヤと，該センサワイヤの抵抗値を測定するための回路とを備え，前記センサワイヤが前記フックの少なくとも一部分を横切って延在し，該部分の障害に際して前記センサワイヤに機械的損傷を生じさせ，これにより前記ワイヤの抵抗値を変化させる構成とされている，アップロック装置。 
【請求項１７】
請求項１６に記載のアップロック装置であって，前記センサワイヤは，互いに絶縁された第１及び第２の導体を備え，前記ワイヤは，その変形により前記第１及び第２の導体を接触させて該第１及び第２の導体の少なくとも一方の抵抗値を変化させる構成とされている，アップロック装置。
【請求項１８】
航空機部品に取り付けられた捕捉ピンと係合するように構成されたフックを含む，航空機部品のアップロック装置の故障を検出する方法であって，前記フックが閉鎖位置にあるときに捕捉ピンがフックに係合しているか否かに応じて障害が発生したか否かを判断し，前記ピンが前記フックに係合していない場合に，前記アップロック装置が故障を生じている可能性をパイロットに警告するステップを含む，方法。
【請求項１９】
請求項１８に記載の方法であって，前記アップロック装置がインジケータ部材を更に備える場合に，前記方法は：
・前記捕捉ピンを前記捕捉ピンに係合させ，前記フックを閉鎖位置にロックして前記航空機部品を第１位置に維持するステップと；
・前記捕捉ピンがフックに係合していないか，又は前記フックにもはや係合されなくなる場合に，前記
インジケータ部材を別の第２位置に移動可能とするステップと；
・前記インジケータ部材の位置に応じて，前記捕捉ピンが前記フックに係合しているか否かを判断するステップと；
を備える方法。
【請求項２０】
請求項１８又は１９に記載の方法であって，前記フックは，閉鎖位置及び開放位置の間を移動できるように取り付けられ，前記アップロック装置は，前記フックを閉鎖位置に維持するためのバイアス機構を更に備え，前記フックに受け入れられた捕捉ピンの及ぼす力が，前記バイアス機構によるバイアス力に打ち勝って前記フックを閉鎖位置から開放位置に向けて移動させるのに十分である場合に，前記方法は：
・前記フックを前記捕捉ピンに係合させ，前記フックを閉鎖位置にロックして前記航空機部品を第１位置に維持するステップと，
・前記フックのロックを解除して前記航空機部品を別の第２位置まで移動させるするステップと，
・前記航空機部品を前記第２位置まで移動させた後，前記フックの位置に応じて，前記フックがロック解除される前に。前記捕捉ピンが前記フックに係合したか否かを判断するステップと；
を備える，方法。
【請求項２１】
請求項１８〜２０の何れか一項に記載の方法であって，前記アップロック装置が航空機に取り付けられ，前記アップロック装置が，作用する力に応じて変化する電気的出力を生成するロードセルを備える場合に，前記方法が：
・前記ロードセルを使用して，前記フック及び航空機の間の経路に沿う１つ以上のポイントで荷重を測定するステップと；，
・前記ロードセルが測定した荷重に応じて，前記捕捉ピンが前記フックに係合しているか否かを判定するステップと；
を備える，方法。
【請求項２２】
請求項１８〜２１の何れか一項に記載の方法であって，センサワイヤが前記フックの一部に取り付けられる場合に，前記方法が，
・前記センサワイヤの抵抗値を反復的に測定するステップと；
・所定の期間中に測定された抵抗値の変化に応じて，前記フックが損傷しているか否かを判定するステップと，
を含む，方法。
【請求項２３】
捕捉ピンを含む航空機部品のアップロック装置であって，該アップロック装置は，前記捕捉ピンを受け入れる構成とされ，閉鎖位置及び開放位置の間を移動できるように取り付けられたフックと，第１位置（ロック位置）及び第２位置（ロック解除位置）の間で回動可能に取り付けられたカムと，を備え，前記第１位置において前記カムは，前記フックの閉鎖位置からの移動を防止し，前記第２位置において前記カムは，前記フックの閉鎖位置から開放位置への移動を許容する構成とされている，アップロック装置。
【請求項２４】
請求項２３に記載のアップロック装置であって，前記カムは，１８０度以上回動するように取り付けられている，アップロック装置。
【請求項２５】
捕捉ピンを含む航空機部品のアップロック装置であって，該アップロック装置は，前記捕捉ピンを受け入れる構成とされたストッパ及びフックを備え，前記フック及びストッパは，開放位置及び閉鎖位置の間で相対移動可能であり，前記開放位置では前記アップロック装置に対する前記捕捉ピンの移動が許容され，前記併催位置では前記フックに受け入れられた前記捕捉ピンが前記フック及び前記ストッパの両者に接触する構成とされている，アップロック装置。
【請求項２６】
請求項２５に記載のアップロック装置であって，該アップロック装置は，前記フックが閉鎖位置にあるときに前記捕捉ピンが前記フック及び前記ストッパの間で圧縮されるように構成されている，アップロック装置。
【請求項２７】
請求項２５又は２６に記載のアップロック装置であって，前記フックは，前記フックに受け入れられたピンが前記開放位置から，前記ストッパより離隔する中間位置までの第１の運動（回動）と，前記中間位置から前記閉鎖位置までの第２の運動が行えるように取り付けられている，アップロック装置。
【請求項２８】
請求項２５〜２７の何れか一項に記載のアップロック装置であって，前記フックは，偏心運動が行えるように取り付けられている，アップロック装置。
【請求項２９】
航空機部品に取り付けられた捕捉ピンを受け入れるためのフックと，ストッパとを備えるアップロック装置を使用して前記航空機部品を拘束する方法であって：該方法は，前記フックを，前記アップロック装置に対する捕捉ピンの移動を許容する開放位置から，前記フックに収容された前記捕捉ピンが前記捕捉ピン及びストッパの両者に接触する閉鎖位置まで，前記ストッパに対して移動させるステップと；前記フックを前記ストッパに対して回転させて前記捕捉ピンと係合させるステップと；前記ピンが前記フック及び前記ストッパの間に挟持されるまで前記フックを前記ストッパに向けて移動させるステップと，を備える方法。
【請求項３０】
捕捉ピンを含む航空機部品と共に使用するためのアップロック装置であって，該アップロック装置は，（i）捕捉ピンを受け入れるように構成されたフックと，（ii）前記フックの一部分を受け入れて前記フックの回転運動を制限する構成とされたフック凹部と，を備え，前記フックは，閉鎖位置及び開放位置の間で移動できるように取り付けられ，前記アップロック装置は，前記フックが閉鎖位置にあるときに該フックの前記部分が前記凹部に受け入れられ，前記フックが開放位置にあるときには該フックの前記部分が前記凹部に受け入れられないように構成されている，アップロック装置。
【請求項３１】
請求項３０に記載のアップロック装置であって，前記凹部は，前記フックの回転運動が防止されるように，前記フックの前記部分を受け入れるように構成される，アップロック装置。 
【請求項３２】
請求項１〜１７又は２３〜２８の何れか一項に記載のアップロック装置を備える航空機。 
【請求項３３】
請求項３２に記載の航空機であって，該航空機は，前記アップロック装置から１つ又は複数の信号を受信し，その受信信号に応じてアップロック装置に障害が発生したか否かを判定するためのアビオニクスシステムを備える，航空機。
【請求項３４】
請求項３２又は３３に記載の航空機であって，前記捕捉ピンは，格納式着陸ギヤ装置に取り付けられている，航空機。
【請求項３５】
請求項３４に記載の航空機の翼として使用するための翼であって，前記着陸ギヤ装置が前記翼に取り付けられている，翼。 
【請求項３６】
請求項３２又は３３に記載の航空機の翼として使用するための翼であって，前記捕捉ピンが翼端装置に取り付けられ，該翼端装置は，地上モード及び飛行モードの間で移動できるよう前記翼の固定部に取り付けられている，翼。
【請求項３７】
翼アセンブリであって，固定部と，地上モード及び飛行モードの間を移動できるよう前記固定部に取り付けられた翼端装置と，を備え，アップロック装置が前記翼の固定部に取り付けられると共に捕捉ピンが前記翼端装置に取り付けられ，該アップロック装置が，閉鎖位置及び開放位置の間を移動できるように取り付けられたフックと，該フックを前記閉鎖位置にロックするためのロック手段と，を備え，前記翼アセンブリは，使用中，前記フックが前記閉鎖位置にあって前記翼端装置が前記飛行モードにあるときに，前記フックが前記捕捉ピンと係合する構成とされている，翼アセンブリ。
【発明の詳細な説明】
【背景技術】
【０００１】
本発明は，航空機部品用のアップロック装置に関する。より詳細には，限定されるものではないが，本発明は，拘束される航空機部品に取り付けられた捕捉ピンを受け入れるためのフックを含むアップロック装置に関する。すなわち，本発明は，航空機部品に取り付けられた捕捉ピンをフックで捕捉することにより，当該部品を所定の位置に保持するアップロック装置に関する。本発明はまた，格納式着陸ギヤ装置又は折り畳み式翼端装置と共に使用することのできるアップロック装置に関する。 
【０００２】
通常，格納式着陸ギヤ装置を備える航空機には，着陸ギヤ装置が格納されたときに着陸ギヤ装置ベイ内の所定の位置にギヤを保持するアップロック装置が設けられている。図1（a）及び（b）は，典型的なアップロック装置1の（a）開放モード及び（b）ロックモードにおける概略図である。アップロック装置は，図１におけるＡ点周りで旋回可能なフック２を備えている。フック２は，フック２の上端におけるカム面４と，フック２の両側に延在するアーム６とを含む。アップロック装置１は，図１におけるＢ点周りで旋回可能なロックレバー８も備えている。レバー８における第１の端部は，アップロック装置が図１（ａ）の開放モードにあるときにフック２におけるカム面４上に休止するローラ１０を含む。レバー８における他方の端部には，センサターゲット１２が設けられている。図１（ａ）に示す開放モードにおいて，センサターゲット１２は，アップロック１の本体２２に取り付けられた近接センサ１４から離隔している。近接センサ１４は，図１に破線で概略的に示されるアビオニクスシステム４６に対して信号を供給する。レバー８の下側からアーム１６が延びている。ばね１８がフック２とロックレバー８との間に延在している。油圧アクチュエータ２０がロックレバー８に隣接して配置されている。フック２，ロックレバー８，センサ１４及びアクチュエータ２０は，本体２２に取り付けられている。図１（ａ）において，着陸ギヤ装置（図示せず）の脚部に取り付けられた捕捉ピン２６は，右側のフックアーム６の下側でフック２から離隔している。 
【０００３】
図１（ｂ）のロックモードにおいて，捕捉ピン２６は，図１（ａ）に示す位置から閉鎖位置まで反時計回りに回動するフック２と係合する。ロックレバー８は，図１（ａ）に示す位置から時計回りに回動する。ロックレバー８のローラ１０がフック２のカム面４の凹部２８内に配置され，ロックレバー８のセンサターゲット１２がセンサ１４に隣接している。
【０００４】
使用中，着陸ギヤ装置が伸展すると，アップロック１装置は図１（ａ）の開放モードとなり，フック２は開放位置に移動し，ロックレバー８におけるローラ１０はフック２のカム面４上に休止する。捕捉ピン２６は，フック２から離隔しており，アップロック装置１に対して移動可能である。着陸ギヤ装置を引き込めると，着陸ギヤピン２６がフックアーム６の下面に接触してフックアーム６を押し上げ，フック２をピボット点Ａ周りで反時計回りに回転させる。フック２が回動するとカム面４がロックレバー８に対して移動し，この相対運動によりローラ１０をカム面４に沿って転動させる。ロックレバー8のローラ10は，ロック凹部28に到達するまでカム面4に沿って転動する。ローラ１０がロック凹部２８内に落ち込むと，ロックレバー８はＢ点周りで時計回りに旋回し，センサターゲット１２が取り付けられているロックレバー８の部分をセンサ１４に向けて移動させる。フック２が閉鎖位置に向けて回転する際，引張ばね１８が伸長する。このプロセスの終了時，アップロック装置は図１（ｂ）のロックモードとなる。この場合，ターゲット１２はセンサ１４に隣接するロックレバー８上にあり，フック２は閉鎖位置にあり，ロックレバー８はロック用凹部２８と係合する。捕捉ピン２６がフック２により保持され，補足ピンの取り付けられている着陸ギヤ装置は，その移動が防止される。ターゲット１２がセンサ１４の近傍にある状態で，センサは航空機のアビオニクスシステム４６に対して「ロック」信号を供給する。凹部２８内にロックレバー８が存在することにより，フック２は，閉鎖位置からの回動が防止される。
【０００５】
着陸ギヤ装置を解放するため，アクチュエータ２０は，ロックアーム１６においてロックレバー８と係合し，ロックレバー８を反時計回りに回転させてロックレバー８をロック凹部２８から解放する。ロックレバー８が解放されると，引張りばね１８が，フック２のピン２６を介して及ぼされる着陸ギヤ装置の重量と共に作用して，フック２を開放位置に向けて時計回りに回転させ，ピン２６を下向きに移動させることができる。 
【０００６】
従来技術のアップロック装置では，着陸ギヤ装置（又は他の部品）が「ロック」され，かつ，完全に格納された（「アップ」）位置にあることを示すために「ロック」信号が採用されていた。しかしながら，本出願人は，フック２の特定領域，例えばフック底部に構造的な欠陥がある場合に，ピン２６は解放されるが，ロックレバー８がロック位置に留まることを特定した。これにより，ギヤが降ろされて着陸ギヤベイのドア上に休止する場合にセンサがロック状態を示し続けるという，隠された故障モードの潜在的リスクがある。この種の障害が検出できるアップロックを提供することが望ましい。
【０００７】
最近では，使用中における航空機のスパンを可変とするため，折り畳み式の翼端装置を使用することが提案されている。例えば，旅客機には折り畳み式の翼端装置が導入されており，この翼端装置は，飛行中に使用する飛行モードと，地上操作で使用する地上モードとの間で可動である。地上モードでは，翼端装置が飛行モードから移動して航空機の翼スパンを短縮し，空港における既存のゲート及び誘導路を使用可能にすると共に，飛行中はスパンを拡幅させることができる。翼端装置を所定のモードにおいて確実に維持するアップロック機構を提供することが望ましい。装置がアップロック機構により保持されている場合に，翼端装置（又は他の航空機部品）の動きを最小限に抑えるアップロック機構を提供することが望ましい。 
【０００８】
本発明の課題は，上述した問題の１つ以上を軽減することである。代替的又は付加的に，本発明の課題は，航空機の構成要素と共に使用するための，改善されたアップロック装置供することである。
【発明の概要】
【０００９】
本発明は，第１の態様によれば，航空機部品，例えば着陸ギヤ装置又は翼端装置と共に使用するためのアップロック装置を提供する。このアップロック装置は，航空機部品に取り付けられた捕捉ピンと係合するように構成されたフックを備える。このフックは，閉鎖位置及び開放位置の間を可動とされている。アップロック装置は，フックが閉鎖位置にあるときに捕捉ピンがフックに係合しているか否かを表示する構成とすることができる。ピンがフックと係合しているか否かを検出するインジケータシステムを提供すれば，フック（又はその残部）が閉鎖位置に留まるも，構造的な障害により捕捉ピンが解放されるという，以前には隠されていた障害モードが検出可能である。アップロック装置は，（i）フックが閉鎖位置にロックされていること，及び（ii）ピンがフック内に存在すること，を検出可能なインジケータシステムを備えることができる。
【００１０】
アップロック装置は，捕捉ピンと係合させる（すなわち，受け入れる）ためのフックを備えることができる。フックは，アップロック装置に対するピンの移動を制限しない開放位置と，ピンの移動を制限する閉鎖位置との間を移動できるように取り付けることができる。 
【００１１】
アップロック装置は，インジケータ部材を備えることができる。インジケータ部材は，表示システムの一部を形成することができる。インジケータ部材は，第１位置及び第２位置間で移動できるように取り付けることができる。アップロック装置は，フックに係合した捕捉ピンがインジケータを第１位置に維持し，ピンがフックに係合しなくなったときにインジケータ部材が第１位置から第２位置まで移動するように構成することができる。すなわち，アップロック装置は，インジケータ部材を第１位置に維持するために，フック内における捕捉ピンの存在が必要とされるように構成することができる。アップロック装置は，通常の使用において，捕捉ピンがフックと係合したときにインジケータ部材が第１位置のみを占める構成とすることができる。使用中，フックが閉鎖位置にあり，ピンがフックに係合している場合に，インジケータ部材は第１位置を占めるが，フックが閉鎖位置にあり，ピンがフックに係合していない場合には，インジケータ部材は第２位置を占める構成とすることができる。インジケータ部材の位置を使用して，ピンがフック内にあるか否かを判断し，それにより，フックが閉鎖位置に留まるがピンがフックと係合しなくなった故障モードの検出を容易にすることができる。
【００１２】
従って，本発明は，一態様において，着陸ギヤ装置又は翼端装置と共に使用するためのアップロック装置を提供することができる。このアップロック装置は：着陸ギヤ装置又は翼端装置に取り付けられた捕捉ピンと係合する構成とされたフックを備え，回フックは，閉鎖位置及び開放位置の間を移動できるように取り付けられ；第１位置及び第２位置間で移動できるように取り付けられたインジケータ部材と；インジケータ部材の位置を検出するためのセンサと；を更に備える。アップロック装置は，フックが閉鎖位置にあるときに，フックに係合した捕捉ピンがインジケータ部材を第１位置に維持し，インジケータ部材は，フックが閉じた位置にあるが，ピンがフックに係合していない場合，第１位置から離隔移動する構成とされている。アップロック装置は，ピンがフックに係合しなくなったときに，インジケータが第１位置から第２位置まで移動する構成とすることができる。
【００１３】
用途によっては，インジケータ部材をフックの領域，例えばフックの先端に隣接して取り付けることにより，ピンの解放を引き起こした構造的障害によりインジケータ部材をフックの残部から取り外すのが望ましい場合がある。従って，そのような用途では，インジケータ部材が取り外される際に第１位置から離隔移動するが，これは必ずしも第２位置に向けての移動とは限らない。
【００１４】
アップロック装置は，フックに係合する捕捉ピン，例えばフック内に休止する捕捉ピンが，インジケータ部材に力を及ぼす構成とすることができる。アップロック装置は，ピンがフックに係合したときに捕捉ピンがインジケータ部材に対して例えば直接接触する構成とすることができる。インジケータ部材は，フック内に受け入れられたときに捕捉ピンがインジケータ部材に接触するように，フックに隣接して配置することができる。  
【００１５】
インジケータ部材は，通常の使用では，フックに係合した捕捉ピンによりインジケータ部材に及ぼされる力がない場合にインジケータ部材が第２位置に留まるように，第２位置に向けて付勢することができる。アップロック装置は，使用中，フックに係合するピンによりインジケータ部材に及ぼされる力が，バイアス力に打ち勝ち，インジケータを第１位置まで移動させる（及びそこに維持する）のに十分であるように構成することができる。アップロック装置（例えばインジケータシステム）は，インジケータ部材を第２位置に維持するように構成されたバイアス手段，例えばばね又は他の弾性要素を備えることができる。従って，ピンからインジケータ部材に及ぼされる力がない場合，インジケータ部材は第２位置まで移動し，及び／又は第２位置に維持される。バイアス手段を有することは必須ではない点に留意されたい。アップロック装置は，フックに係合したピンによりインジケータ部材が持ち上げられ，ピンがフック内に存在しなくなった場合に，例えば重力の作用下で落下する構成とすることができる。
【００１６】
アップロック装置は，インジケータ部材の位置を検出するためのセンサを備えることができる。センサによりインジケータシステムの一部を形成することができる。センサは，近接センサ又は他の形式のセンサで構成することができる。アップロック装置は，近接センサにより検出可能なセンサターゲットを備えることができる。ターゲットは，インジケータ部材の移動によりターゲットの移動が生じるように，インジケータ部材に接続することができる。ターゲットは，インジケータ部材に取り付けることができ，一連のリンク部材を介してインジケータ部材に接続することもできる（詳細は後述する）。インジケータ部材は，近接センサのターゲットを含むことができる。アップロック装置は，通常の使用において，インジケータ部材が第１位置（ピンが存在する位置）にあるときに，インジケータ部材に関連付けられた（例えば接続された）ターゲットが近接センサにのみ隣接する構成とすることができる。従って，使用中，インジケータ部材に関連付けられたセンサターゲットが「近接」している旨の近接センサからの信号は，ピンがフックに係合していることの表示と見なすことができる。近接センサからの他の信号，すなわちセンサターゲットが「遠い」旨の信号は，ピンがフックに係合していないことを示す挟持と見なすことができる。  
【００１７】
インジケータ部材は，回転運動できるように取り付けることができる。インジケータ部材は，アップロック装置の本体に取り付けることができる。インジケータ部材は，フックに取り付けることができる。インジケータ部材がフックに取り付けられる場合，フックの特定の故障モードにより，インジケータ部材がアップロック装置の残部から分離する可能性がある。
【００１８】
付加的又は代替的に，インジケータシステムは，閉鎖位置に向けて付勢されるフックを備えることにより，ピンがフックと係合してピンの重量によりバイアス力に打ち勝つことができない限り，ロック解除された際にフックが解放位置まで移動するのを防止する構成とすることができる。従って，本発明の別の態様では，航空機部品用のアップロック装置を提供することができ，このアップロック装置は：閉鎖位置及び開放位置の間を移動できるように取り付けられたフックを備え，該フックは，航空機部品上に取り付けられた捕捉ピンを受け入れる構成とされており；フックを閉鎖位置にロックするためのロック手段を更に備える。フックは，ロック解除されたときに閉鎖位置に留まるように付勢され，アップロック装置は，フック内に受け入れられた捕捉ピンによりフックに及ぼされる力が，バイアス力に打ち勝ってフックを閉鎖位置から開放位置に向けて移動させるに十分である構成とされる。通常の使用では，フック上におけるピンの重量がバイアス力に打ち勝ってフックが開放可能となる場合がある。フックがロック解除されたときにピンがフックと係合していなければ，フックは閉鎖位置に留まるが，ピンがフックと係合していないため，航空機部品は新たな位置まで移動可能となる。航空機部品が新たな位置まで移動している間にフックが閉じたままであることは，フックに障害があることを示すものとして使用でき，従ってこの構成により，以前には隠れていた障害モードの検出が容易となる。
【００１９】
アップロック装置は，フックが閉鎖位置にあることを示すために，航空機におけるアビオニクスシステム（後述）に信号を送信する構成とすることができる。航空機のアビオニクスシステムは，航空機部品が第２位置にある旨の信号を受信する構成とすることができる。アビオニクスシステムは，（ｉ）フックが閉鎖位置にあり，（ｉｉ）航空機部品が第２位置にあることを信号が示す場合に，アップロック装置の障害の可能性をパイロットに警告する構成とすることができる。
【００２０】
アップロック装置は，フックを閉鎖位置に向けて付勢するように配置されたバイアス機構を含むことができる。バイアス機構は，フックが所定のポイントを超えて閉鎖位置から離隔すると（例えば，所定距離だけ変位するか，又は所定角度だけ回転すると），バイアス機構がフックを開放置に復帰させる構成とすることができる。フックは，開放位置及び閉鎖位置の間の移動，例えば回転ができるように取り付けることができる。バイアス機構は，フックが第１の位置範囲にあるとき，例えば，フックが閉鎖位置から５度以内の回転位置にあるとき，フックを閉鎖位置に向けて移動させる構成とすることができる。バイアス機構は，フックが第２の位置範囲にあるとき，例えば，フックが閉鎖位置から５度以上回転しているとき，フックを開放位置に向けて移動させる構成とすることができる。
【００２１】
バイアス機構は，第１のポイントでフックに力を作用させる構成とすることができる。フックは，取り付け点を中心に回転するように取り付けることができる。フックが閉位置にあるとき，第１のポイントは，バイアス機構がフックに作用させる力によりフックが第１の方向に回転するように，取り付け点の一側に位置させることができる。フックが所定のポイントを超えて移動すると，第１のポイントは取り付けポイントの反対側に配置され，バイアス機構がフックに作用させる力によりフックが第２の反対方向に回転する。
【００２２】
バイアス機構は，フックを閉鎖位置に維持するための第１バイアス要素（又は要素のセット），例えばばね又はばねのセットと。フックを開いた位置に移動させるための第２のバイアス要素（又は要素のセット），例えばばね又はばねのセットを備えることができる。アップロック装置は，フックが閉鎖置にあるとき，第１要素（例えば第１のばね）によりフックに作用する力が，第２要素（例えば第２のばね）によりフックに作用する力よりも大きくなる配置とすることができる。第１要素は，フックを第１方向に移動させ，及び／又は反対の第２方向への移動に抵抗するように作用する構成とすることができる。第２要素は，フックを第２方向に移動させるように機能する。第１及び第２要素は，フックに係合したピンにより及ぼされる力が，閉鎖位置に向けてのバイアス力に打ち勝つように平衡させることができる。例えば，第１のばね及び第２のばねによりフックに作用する力の差は，フック内に受け入れられたピンによりフックに作用する力よりも小さくすることができる。
【００２３】
アップロック装置は，フックが所定の量（例えば距離又は角度）だけ閉鎖位置から離れたときに，第２要素，例えば２番目のばねによりフックに及ぼされる力は，第１要素，例えば第１のばねによりフックに及ぼされる力よりも大きい。従って，閉鎖位置から離隔する最初の移動が完了すると，フックは，ピンからの力を必要とせずにフックを開放位置まで復帰させることができる。
【００２４】
付加的又は代替的に，フックは，第１方向（例えば，閉鎖位置から離れる方向，及び／又は開放位置に向かう方向）における移動に対して，異なる第２方向（例えば，閉鎖位置に向かう方向，及び／又は開放位置から離れる方向）における移動よりも，大きな抵抗を作用させるように取り付けることができる。アップロック装置は，フックの第１の方向への移動に対する抵抗を増加させる摩擦発生器を備えることができる。フックが閉鎖位置から離れる方向に回転している場合よりも，フックが閉鎖位置に向かう方向に回転している場合，摩擦発生器はより大きな摩擦力を作用させる構成とすることができる。
【００２５】
あるいは，フックは，上記のように付勢されない構成とすることができる。アップロック装置は，ロック手段，例えばロック部材が解放されたときに，フックが閉鎖位置まで復帰させるように付勢する配置とすることができる。アップロック装置は，ロック部材が解放されたとき（すなわち，ロック解除位置まで移動したとき）に，フックを開放位置まで復帰させる構成とした１つ又は複数のバイアス要素を備えることができる。
【００２６】
付加的又は代替的に，インジケータシステムは，フックに作用する荷重，及び／又はフックからアップロックの残部を介して航空機に伝達される荷重を測定するための荷重検出器を備えることができる。
荷重検出器は，フックと航空機との間の荷重経路に沿う１つ又は複数の点で荷重を測定するように配置されたセンサを備えることができる。荷重検出器はロードセルを備えることができる。ロードセルは，検出された力に依存する出力，例えば変化する電気的出力を生成する構成とすることができる。荷重は，歪みを検出することによりロードセルで測定することができる。ロードセルは歪みゲージを備えることができる。ロードセルは，圧電センサを備えることができる。ロードセルは，ファイバブラッググレーティングを備えることができる。従って，本発明の一態様において，アップロック装置は，アップロック装置の一部における歪みを測定する構成とした歪みゲージを備えることができる。使用中，補足ピンがフックに係合すると，航空機部品からの荷重が，補足ピン，フック，本体（存在する場合），ケーシング（存在する場合）及び少なくとも１つのマウントポイント（存在する場合）を介して，アップロックの取り付けられている航空機構造に伝達される。従って，アップロックは，フックに係合した捕捉ピンからの荷重を，アップロックの取り付けられている航空機構造に伝達する荷重経路を備えることができる。荷重検出器，例えば歪みゲージは，例えば，荷重経路に沿う１つ又は複数の点で歪みを測定することにより，荷重を測定する構成とすることができる。所定の構成では，アップロックフック装置に荷重が作用したときに応力及び／又は歪みを測定可能な，複数の荷重経路を特定することができる。歪みゲージをフックに取り付けて，フックの歪みレベルを測定することができる。荷重検出器，例えば歪みゲージは，その荷重を測定するために本体又はケーシングに取り付けることができる。荷重検出器，例えば歪みゲージは，捕捉ピン，又は航空機部品（あるいはアップロック装置からの荷重，例えばフックが閉鎖位置にあり，ピンがフックと係合したときに生成される荷重に反応する他の航空機構造）における任意の部分に取り付けることができる。そのような航空機部品等には，フックが閉鎖位置にあって捕捉ピンがフックに係合しているときに，フックが閉鎖位置にあって捕捉ピンがフックに係合していない場合と比較して，異なる荷重が作用する。荷重検出器，例えば歪みゲージは，測定された荷重（又は歪み）に対応する信号をアビオニクスシステムに送信する構成とすることができる。アビオニクスシステムは，所定の閾値を超える測定値を，捕捉ピンがフックに係合していることを示すデータとして判断する構成とすることができる。所定の閾値は，１０〜１００ｋＮ，例えば３０〜５０ｋＮとすることができる。測定値が所定の閾値を超えない場合，アビオニクスシステムは，パイロットにアップロック装置の障害の可能性を警告する構成とすることができる。
荷重検出器は，検出された荷重及び／又は歪みが障害を示しているか否かを確認する出力を送信する構成とすることができる場合がある（特定の実施形態において検出される実際の歪み又は応力の正確な測定値を表す信号の送信が，荷重検出器にとって不要とされる場合がある）。
【００２７】
従って，本発明の別の態様では，航空機部品用のアップロック装置を提供することができる。このアップロック装置は：航空機部品に取り付けられた捕捉ピンと係合する構成としたフックと；アップロック装置を航空機に取り付けるための少なくとも１つの取り付けポイントと；フックと航空機上の位置との間の荷重経路上（例えば，少なくとも１つの取り付け点を含む荷重経路上）に配置される荷重検出器（例えば，歪みゲージ）と；を備える。例えば，歪みゲージは，フックと少なくとも１つの取り付けポイントとの間の荷重経路上に配置することができる。フック及び航空機の間の荷重経路に歪みゲージを含むアップロック装置を配置すれば，フックの故障（又はフックからのピンの解放につながる他の故障モード）の検出が容易となる場合がある。
【００２８】
荷重経路は，構造内におけるあるポイントから別のポイントへの荷重伝達ルートとして定義することができる。アップロックの荷重経路は，フックの一部，本体，ケーシング（存在する場合），及び／又は取り付けポイント（存在する場合）を備えることができる。荷重検出器のセンサ，例えば歪みゲージは，フック，本体，ケーシング，又は少なくとも１つの取り付けポイントに取り付けて，その歪みを測定することができる。荷重検出器（又は歪みゲージ）は，アビオニクスシステムに信号を送信する構成とすることができる。いくつかの実施形態において，荷重検出器は，アップロック装置が取り付けられる航空機構造の荷重を測定する構成とすることができる。従って，荷重検出器をアップロック装置内に配置する必要のない点に留意されたい。荷重検出器は，アップロック装置に対して取り付けポイント（存在する場合）の反対側の位置で航空機に取り付け可能な場合がある。
【００２９】
付加的又は代替的に，インジケータシステムは，センサワイヤと，該ワイヤの抵抗値を測定するための回路を備えることができる。従って，本発明の別の態様では，航空機部品用のアップロック装置を提供することができる，このアップロック装置は：航空機部品に取り付けられた捕捉ピンと係合する構成としたフックと；センサワイヤと；センサワイヤの抵抗を測定する回路と；を備える。センサワイヤは，フックの少なくとも一部を横切って延在し，フックの一部が故障してセンサワイヤに機械的損傷が生じると，それにより抵抗値が変化する。そのようなシステムは，フックが損傷しているか否かの表示を送信することにより，以前に隠れていた障害（フックのピン保持能力に影響を及ぼしかねない障害）を検出可能とすることができる。アップロック装置は，センサワイヤ及び回路に対して電力を，例えば連続的に供給する構成とすることができる。センサワイヤは，フックの少なくとも一部に亘って，例えばフックの周囲の一部の周り，例えばフックの下部の周りに延在させることができる。センサワイヤは，フックの表面に形成された溝に受け入れられ，通常の使用では，ワイヤが前記溝により損傷から保護される。アップロック装置は，ワイヤの変形及び／又は破損により，回路が測定する抵抗値を変化させるように構成することができる。従って，フックの機械的損傷により，前記ワイヤの抵抗値変化が生じる可能性がある。アップロック装置は，回路からアビオニクスシステムに，抵抗測定値に対応する信号を送信する構成とすることができる（これについては後述する）。アビオニクスシステムは，測定された抵抗値が所定の期間に亘って所定の量を超えて変化する場合，起こりかねないアップロック障害をパイロットに警告する構成とすることができる。回路の抵抗値は，長期間に亘って僅かに変化する場合があるが，本方法は，センサワイヤへの機械的損傷を示す抵抗値変化が発生したか否かの判定を含むことに留意されたい。そのような変化は，１０％を超える抵抗値変化（例えば，増加又は減少），例えば２０％を超える抵抗値変化，あるいは例えば５０％を超える抵抗値変化を含むことができる。そのような変化は，１０秒未満，例えば５秒未満，又は例えば１秒未満の期間に亘って起こりかねない。この変化は，短絡を示す抵抗値の低下（例えば，ゼロ又はゼロに近い抵抗値の低下）を含むことができる。この変化は，開放回路を示す増加（例えば，無限抵抗等の非常に高い増加）を含むことができる。
【００３０】
センサワイヤは，第１導体及び第２導体を備えることができる。センサワイヤは，通常の使用では第１導体及び第２導体が互いに絶縁されるも，センサの機械的変形により第１導体及び第２導体が電気的に接触して少なくとも一方の抵抗値が変化する構成とすることができる。ワイヤが損傷を受けていないとき，第１導体及び第２導体は互いに離隔する配置とすることができる。回路は，第１又は第２の導体の一方を含む回路の抵抗を測定する構成とすることができる。代替的又は付加的に，センサワイヤは単一の導体を備えることもできる。
【００３１】
アップロック装置は，フックを閉鎖位置にロックする構成としたロック手段を備えることができる。ロック手段は，アップロック装置における他の１つ又は複数の要素と係合，例えば連携することにより，フックの閉鎖位置からの移動を機械的に防止する構成としたロック部材を備えることができる。アップロック装置は，ロック部材がロック位置にあるときに，ロック部材がフックの開放（すなわち，閉位置からの移動）を防止する構成とすることができる。アップロック装置は，通常の使用では，ロック部材が別の要素，例えばフック又はフックに接続されたカムと係合したときにのみロック位置を占有して，フックの開放を防止する構成とすることができる。アップロック装置は，通常の使用では，フックが閉鎖位置にあるときにのみ，ロック部材がロック位置を占有できる構成とすることができる。従って，アップロック装置がロック部材の位置を検出するためのセンサを含む場合，ロック部材の位置に基づいてフックが閉鎖位置にあるか否かを判断することができる。ロック部材は，フックの移動を防止するロック位置と，フックの移動が可能なロック解除位置との間を移動できるように取り付けることができる。ロック部材，例えばロックレバーは，フックが閉鎖位置にあるときにフックに関連するカム面に係合して，閉鎖位置からのフックの移動を防止する構成とすることができる。カム面により，フックの一部又はフックに接続された別のカムの一部を形成することができる。ロック部材は，ロック部材がカム面と係合するロック位置と，ロック部材がカム面から係合解除されるロック解除位置との間を移動できるように取り付けることができる。ロック部材は，ロック部材をロック位置からロック解除位置に向けて移動させる構成としたアクチュエータを備えることができる。従って，ロック部材は，アクチュエータにより解放することができる。アップロック装置は，通常の使用において，アクチュエータにより解放されない限り，ロック部材をロック位置から離隔移動させない構成とすることができる。
【００３２】
アップロック装置は，ロックアクチュエータが解放され，フックがロック位置にあるときにロック部材がロック位置まで復帰する構成とすることができる。アップロック装置は，通常の使用では，フックが開放位置にあればロック部材がロック位置まで復帰できない構成とすることができる。アップロック装置は，フックが開放位置にあればカム面によりロック部材のロック位置への復帰を防止する構成とすることができる。  
【００３３】
アップロック装置は，ロック部材の位置を検出するためのセンサを備えることができる。センサは，近接センサ又は別形式のセンサで構成することができる。アップロックは，近接センサによる検出に適したターゲットを備えることができる。ターゲットは，ロック部材の移動によりターゲットが移動するようにロック部材に接続することができる。ターゲットは，ロック部材に取り付けることができ，一連のリンク部材を介してロック部材に接続することもできる（これについては後述する）。ロック部材は，近接センサのターゲットを含むことができる。アップロックは，通常の使用では，ロック部材がロック位置にあるときに，ロック部材に関連付けられたターゲットが近接センサにのみ隣接する構成とすることができる。  
【００３４】
アップロック装置は，フックに関連付けられたカム面を備えることができる。アップロック装置は，ロック部材に対するカム面の位置がフックの位置に依存する構成とすることができる。カム面により，フックの一部を形成することができる。従って，フックはカム面を備えることができる。カム面は，フックとは別個の本体として形成することもできる。従って，アップロック装置は，カム面を有するカムを備えることができる。カム面は，ロック部材が閉鎖位置でフックと係合したときにロック部材の一部を収容するロック凹部を含むことができる。カム面は，ロック部材がロック凹部内に係合するとき（すなわち，ロック部材がロック位置にあるとき），フックの移動を防止するようにフックに接続することができる。凹部におけるカム面の形状により，閉鎖位置から離れる方向におけるフックの移動を生じさせる様式でのカム面のロックレバーに対する移動を防止することができる限り，ロック凹部を広範な形状に形成できることに留意されたい。
【００３５】
アップロック装置は，捕捉ピンを受け入れる構成とした凹部（ピン凹部）を備えることができる。凹部は，アップロック装置の本体に形成することができる。凹部は，アップロック装置のケーシングにより画定することができる。凹部は，使用時にピンを凹部に入れるための開口部を備えることができる。フックが閉鎖置にあるとき，フックは開口部の少なくとも一部に亘って延在させることができる。フックが開放位置にあるとき，フックは，開口部における小さな部分を横切って延在させ，又は全く延在させない配置とすることができる。
【００３６】
アップロック装置は，ケーシングを備えることができる。フック，ロック部材（存在する場合），インジケータ部材（存在する場合），及び／又は近接センサ（存在する場合）は，少なくとも部分的にケーシング内に取り付けることができる。ケーシングは，アップロックを航空機構造，例えば機体の一部に取り付けるための１つ以上の取り付け点を備えることができる。従って，アップロック装置は，アップロック装置を航空機に取り付けるための少なくとも１つの取り付けポイントを備えることができる。
【００３７】
航空機部品は，航空機に取り付けることができる。航空機部品は，捕捉ピンを備えることができる。航空機部品は，第１位置と，異なる第２位置の間を移動できるように取り付けることができる。アップロック装置は，航空機部品を第１位置に保持する構成とすることができ，これを以下では保持位置と呼ぶ場合がある。アップロックは，航空機部品（従って，補足ピン）が保持位置にあるときにフックがピンと係合する構成とすることができる。アップロック装置は，航空機部品が移動すると，従って捕捉ピンが保持位置に向けて移動すると，フックが開放位置から閉鎖位置まで移動する構成とすることができる。アップロック装置は，開放位置から閉鎖位置までのフックの移動により，ロック手段をロック解除位置からロック位置まで移動させる構成とすることができる。フックが閉鎖位置にあってロック手段がロックされている場合，フックは捕捉ピンの移動を制限し，それにより航空機部品の移動を制限する構成とすることができる。フックは，保持位置から離れる方向への捕捉ピンの移動を制限する構成とすることができる。アップロック装置は，ピンが保持位置に向けて移動すると，ピンがフックに接触し，フックを開放位置から閉鎖位置まで回転させる構成とすることができる。フックが突起を備え，ピンによる突起の接触によりフックが回転する構成とすることができる。アップロック装置は，ロック部材が解除されると，保持位置から離れる方向におけるピンの移動により，フックを閉鎖位置から開放位置まで移動させる構成とすることができる。捕捉ピンがフックに係合し（又は保持され），フックが閉鎖位置にロックされると，フックが捕捉ピンの移動を拘束し，それにより捕捉ピンが取り付けられた航空機部品が拘束されることに留意されたい。
【００３８】
捕捉ピンが取り付けられる航空機部品は，格納式着陸ギヤ装置で構成することができる。捕捉ピンは，着陸ギヤ装置におけるメインストラットに取り付けることができる。従って，アップロック装置は，格納式着陸ギヤ装置と共に使用する構成とすることができる。着陸ギヤ装置は，展開モードと格納モードの間を移動できるように航空機に取り付けることができる。使用中，アップロック装置を航空機に取り付けて，着陸ギヤ装置を格納又は「アップ」モードに拘束することができる。従って，保持位置は，格納位置とすることができる。アップロック装置は，通常の使用では，フックが閉鎖位置にロックされているときに，フックにより着陸ギヤ装置の展開を防止する構成とすることができる。格納式着陸ギヤ装置は，当技術分野で周知であり，これ以上の説明は要しない。着陸ギヤ装置は，主着陸ギヤ装置又は前脚で構成することができる。着陸ギヤ装置は，機体又は航空機の翼に取り付けることができる。
【００３９】
捕獲ピンが取り付けられる航空機部品は，翼端装置で構成することもできる。従って，アップロック装置は，例えば，折り畳み式翼端装置等の翼端装置と共に使用する構成とすることができる。アップロック装置は，通常の使用では，飛行中に受ける荷重の作用下で，フックが飛行モードから地上モードへの翼端装置の移動を防止する構成とすることができる。翼端装置は，翼端延長部，例えば平面先端延長部で構成することもできる。他の実施形態において，翼端装置は，小翼等の非平面装置を備え，又はそれから構成することもできる。飛行モードにおいて，翼端装置の後縁は，固定翼の後縁の延長させた構成とするのが好ましい。好ましくは，固定翼から翼端装置へは滑らかに移行させる。固定翼及び翼端装置の間の接合部でスウィープや捩じれに変化がある場合でも，これは滑らかな移行部であり得ることに留意されたい。しかしながら，好ましくは，固定翼と翼端装置との間の接合部は，不連続性を伴わないものとする。翼端装置の上面及び／又は下面は，固定翼の上面及び下面を延長させた構成とすることができる。
【００４０】
飛行中にロックしておく必要があり，かつ，ロック状態が達成されたことの確認が望ましい他の航空機部品も存在する。これには，着陸ギヤ装置ベイドア，カーゴベイドア，フラップ，エンジンカバー，及び／又はカーゴランプが含まれるが，これらに限定されるものではない。
【００４１】
アップロック装置が取り付けられる航空機は，アビオニクスシステムを備えることができる。アップロック装置は，１つ又は複数のセンサからの信号をアビオニクスシステムに送信する構成とすることができる。この信号は，フック，インジケータ部材（存在する場合），ロック部材（存在する場合）及び／又はカム（存在する場合）における１つ又は複数の位置に対応させることができる。航空機部品は，１つ又は複数のセンサからアビオニクスシステムに信号を送信して，例えば部品の現状を表示し，部品が展開されているか又は格納されているか，あるいは飛行モードにあるか地上モードにあるか等を表示する構成とすることができる。
【００４２】
アビオニクスシステムは，アップロック装置及び／又は航空機部品の状態に関する情報をパイロットに送信する構成とすることができる。アビオニクスシステムは，アップロック装置に障害が発生している可能性があると判断された場合に，パイロットに警告を発する構成とすることができる。アビオニクスシステムは，ロック部材，フック，インジケータ部材のうちの１つ又は複数における位置及び／又はインジケータシステムの状態に応じて，アップロック装置に障害が生じているか否かを判断する構成とすることができる。アビオニクスシステムは，ロック部材の位置に応じて，フックが閉鎖位置にあるか否かを判断する構成とすることができる。ロック部材に関連付けられたセンサは，アビオニクスシステムに信号を送信して，ロック部材がロック位置にあるか否かを示す構成とすることができる。インジケータ部材に関連付けられたセンサは，インジケータ部材が第１位置にあるか否かを示す信号をアビオニクスシステムに送信する構成とすることができる。歪みゲージ，荷重検出器，又は他の荷重検出手段は，フックが受ける荷重に対応する信号をアビオニクスシステムに送信する構成とすることができる。抵抗測定回路は，ワイヤの抵抗に対応する信号をアビオニクスシステムに送信する構成とすることができる。アビオニクスシステムにより，ロックメンバがロック位置にあり，インジケータメンバが第１位置にないことを示す１つ以上の信号を受信した場合，アビオニクスシステムは，アップロックに障害がある可能性があることをパイロットに警告する構成とすることができる。
【００４３】
アップロック装置が「安全」であるためには，（ｉ）フックが閉じていること，（ｉｉ）フックが閉鎖位置にロックされていること，（ｉｉｉ）捕捉ピンがフック内に受け入れられていること，以上３つの基準を満たす必要がある場合がある。アビオニクスシステムは，上記３つの基準の全てが満たされた場合にのみ，安全信号を送信する構成とすることができる。アップロック装置は，これらの基準のそれぞれに対応する個別信号をアビオニクスシステムに送信する構成とすることができる。すなわち，閉鎖／開放信号，ロック／ロック解除信号，ピンアップ／ピンダウン信号である。アビオニクスシステムは，受信した信号に応じて，アップロックが安全かどうかを判断するように構成できる。代替的に，アップロック装置は，アビオニクスシステムに単一の信号，すなわち安全／不安全信号を送信する構成とすることができる。アップロック装置は，上記３つの基準の全てが満たされた場合にのみ，安全信号を送信し，さもなければ不安全信号を送信する構成とすることができる。アップロック装置は，アップロック装置が不安全である場合に，パイロットに警告を発するように設定することができる。
【００４４】
センサターゲット又はセンサは，上記の要素の２つ以上に関連付けられている（接続されている）場合がある。ターゲットは，フック，カム（存在する場合），ロック部材（存在する場合），インジケータ部材（存在する場合），又はアップロック装置における他の要素の１つ又は複数に関連付けることができる。ターゲットが複数の要素に関連付けられている場合，アップロック装置は，これら要素のそれぞれがアップ又はロックされた（適切な）位置にあるときに，ターゲットをセンサに隣接させる（近傍に位置させる）構成とすることができる。アップロック装置は，次の基準の１つ以上が満たされたときにのみターゲットが近接センサに隣接するように配置できる：ロック手段が係合していること（ターゲットがロックに関連付けられている場合）；フックが閉鎖位置にあること（ターゲットがフック，カム，及び／又はロックに関連付けられている場合）；及び／又はインジケータ部材が第１位置にあること（ターゲットがリンク部材に関連付けられている場合）。アップロック装置は，これら基準の全てが満たされている場合に，センサ部材上のターゲットを近接センサにのみ隣接させる配置とすることができる。このようなリンク部材を使用すれば，単一のセンサ又はより少数のセンサを使用してアップロック装置の状態を検出することができる。
【００４５】
アップロック装置は，センサターゲットが配置されるセンサ部材を備えることができる。アップロック装置は，センサ部材をフック，カム（存在する場合），ロック部材（存在する場合），インジケータ部材（存在する場合）又はアップロックにおける他の要素の１つ又は複数に接続するための，１つ又は複数のリンク部材を備えることができる。リンク部材は，剛性リンク及び／又は圧縮可能なリンク，例えばばねを備えることができる。センサに隣接するターゲットの存在が，複数の基準が満たされていることを示す場合，リンク部材は，満たされた前記基準のそれぞれに対してセンサをターゲットに接近させる構成とすることができる。
【００４６】
本発明の別の態様では，航空機部品用のアップロック装置，特に，航空機部品に取り付けられた捕捉ピンと係合するフックを含むアップロック装置における障害を検出する方法が提供される。本方法は，フックが閉鎖位置にあるときに捕捉ピンがフックに係合しているか否かに応じて，障害が発生したか否かを判定するステップを含み，ピンがフックに係合していない場合，アップロック障害の可能性をパイロットに警告する。フックが閉鎖位置にあるときにピンがフックに存在するか否かを判断すれば，従来のアップロック装置では検出できなかった故障モードの識別が容易になる場合がある。
【００４７】
ピンのフック内における存否を判断するステップは，上記のインジケータ部材を使用することを含むことができる。従って，本発明の別の態様では，航空機部品のアップロックの故障を検出する方法が提供され，この方法は，上述のようにインジケータ部材の位置に応じて障害が発生したか否かを判定するステップを含む。着陸ギヤ装置又は翼端装置のアップロック装置，特に，着陸ギヤ装置又は翼端装置に取り付けられた捕捉ピンと係合可能なフックを含むアップロック装置における障害を検出する方法を提供することができる。この方法は：フックに係合した捕捉ピンがインジケータ部材を第１位置に保持するための（又は存在する場合に保持する筈の）閉鎖位置までフックを移動させるステップと；捕捉ピンがフックに係合されていない場合に，インジケータ部材を別の異なる位置まで移動させる（すなわち，補足ピンがフックから係合解除されている場合，又はフックに係合していない場合に，インジケータを第２位置まで移動させる）ステップと；インジケータ部材の位置に応じて，障害が発生したか否かを判断するステップと；を備える。
【００４８】
本方法は，インジケータ部材が第１位置にある場合，ピンがフックに係合していると判断することを含むことができる。本方法は，インジケータ部材が第２位置，又は第１位置以外の他の位置にある場合，ピンがフックに係合していないと判定することを含むことができる。本方法は，フックが閉鎖位置にロックされているもインジケータ部材が第１位置にない場合，パイロットに警告を提供することを含むことができる。本方法は，インジケータ部材の位置に対応する信号をアビオニクスシステムに送信することを含むことができる。本方法は，インジケータ部材の位置を決定するために近接センサからの信号を使用することを含むことができる。
【００４９】
捕捉ピンは，ピンがフックに係合している場合，インジケータ部材を高い位置で保持することができる。ピンがフックと係合すると，ピンによりインジケータ部材を第２位置から第１位置まで持ち上げることができる。ピンがフックから係合解除されると，インジケータ部材は第１位置から第２位置まで降下させることができる。
【００５０】
ピンがフックに係合しているとき，補足ピンは，インジケータ部材を第１位置まで押圧することができる。ピンがフックと係合すると，ピンはバイアス手段の作用に抗してインジケータ部材を第１位置まで押し込むことができる。バイアス手段は，ピンがフックから係合解除されると，インジケータ部材を第２位置まで復帰させることができる。本方法は，ピンがフックから係合解除された場合，ピンを第２位置まで復帰可能とすることを含むことができる。
【００５１】
付加的又は代替的に，フックにピンが存在するか否かを判断するステップは，上述のように閉鎖位置に向けて付勢されるフックの使用を含むことができる。従って，本発明の別の態様では，閉鎖位置及び解放位置の間で移動可能なフックと，フックを内部に維持するように作用するバイアス機構とを含み，該バイアス機構が，フックに受け入れられた捕捉ピンにより及ぼされる力がバイアス力に打ち勝ってフックを閉鎖位置から開放位置に向けて移動させるのに十分なものとする構成とされているアップロック装置における障害を検出する方法を提供することができる。本方法は，フックを第１位置にロックして航空機部品を閉鎖位置に配置するステップと，フックをロック解除して航空機部品を別の異なる位置まで移動させ，フックの位置と航空機部品の位置に応じて障害が発生したか否かを判断するステップと；を備える。
【００５２】
本方法は，上述のようにフック及び／又はロック部材の位置を示す信号をアビオニクスシステムに送信するステップを含むことができる。本方法は，航空機部品の位置を示す信号をアビオニクスシステムに送信するステップを含むことができる。本方法は，フックが閉鎖位置にあり，航空機部品が第２位置にある場合に，パイロットに警告を送信するステップを更に含むことができる。
【００５３】
本方法は，バイアス機構の作用及びその中に受け入れられたピンによりフックに及ぼされる力の下で，フックを閉鎖位置まで移動させるステップを含むことができる。本方法は，フックに力を及ぼすピンがフックに受け入れられていない場合に，バイアス機構の作用下でフックを閉鎖位置に抑留可能とするステップを含むことができる。
【００５４】
付加的又は代替的に，フックにピンが存在するか否かを判断するステップは，上記の荷重検出器を使用するステップを含むこともできる。従って，本発明の別の態様では，航空機部品に取り付けられた捕捉ピンと係合するように構成されたフックを含む航空機部品用アップロック装置における障害を検出する方法を提供することができ，本方法は，アップロック装置に作用する荷重を（直接的又は間接的に）測定するステップを含む。例えば，荷重は，アップロック装置における１つ又は複数の領域に生じる歪みを測定して測定することができる。荷重は，アップロック装置に付加が作用したときに，荷重を支える航空機における１つ又は複数の領域に生じる歪みを測定して測定することができる。本方法は，そのように（例えば歪みを測定することにより）測定された荷重に応じて，捕捉ピンがフックに係合しているか否かを判定するステップを含むことができる。本方法は，そのように測定された荷重が所定の閾値を超えるか否かに応じて，捕捉ピンがフックに係合しているか否かを判定するステップを含むことができる。荷重が閾値を超える場合，本方法は，捕捉ピンがフックに係合していると判断するステップを含むことができる。荷重が閾値を超えない場合，本方法は，捕捉ピンがフックに係合していないと判断するステップを含むことができる。航空機のアビオニクスシステムは，このような決定を行う構成とすることができる。例えば，航空機のアビオニクスシステムは，測定された荷重が所定の閾値を超えているか否かに応じて，捕捉ピンがフックに係合しているか否かを判断する（例えば，荷重が閾値を超える場合に，捕捉ピンがフックに係合しているとみなす）ステップを実行し，及び／又は測定された荷重が所定の閾値（同一の閾値又は異なる閾値とすることができる）を下回るか否かに応じて，捕捉ピンがフックに係合していないか否かを判断するステップ−例えば，荷重がその閾値を下回った場合に，捕捉ピンがフックに接続されていないとみなすステップを実行する構成とすることができる。本方法は，捕捉ピンがフックに係合しているか否かについての指示をパイロットに送信するステップ，及び／又は捕捉ピンがフックに係合していないか否かについての指示をパイロットに送信するステップを更に含むことができる。荷重を直接測定するステップは，荷重を測定するために，アップロック装置内に取り付けられた歪みゲージ等の測定装置を使用するステップを含むことができる。荷重を間接的に測定するステップは，アップロック装置から航空機に伝達される荷重を測定するために，アップロック装置を取り付けた航空機構造部に取り付けられた測定装置，例えば歪みゲージを使用するステップを含むことができる。
【００５５】
付加的又は代替的に，ピンがフックに存在するか否かを判断するステップは，上記のセンサワイヤを使用してフックが損傷しているか否かを判断するステップを含むことができる。従って，本発明の別の態様では，航空機部品に取り付けられた捕捉ピンと係合する構成としたフックを含む航空機部品用アップロック装置の故障を検出する方法が提供される。本方法は，センサワイヤの抵抗値を反復的に測定するステップと，測定された抵抗値の変動に応じてフックが損傷しているか否か判定するステップとを含む。
【００５６】
本方法は，ワイヤの抵抗値に対応する信号をアビオニクスシステムに提送信するステップ含むことができる。本方法は，ワイヤの抵抗値が顕著に変化した場合に，フックが損傷した可能性があることをパイロットに警告するステップを含むことができる。
【００５７】
本方法は，フックが閉鎖位置にロックされているか否かを示す信号，例えば「ロック」信号又は「ロック解除」信号をアビオニクスシステムに送信するステップを含むことができる。ロック信号は，ロック部材に関連付けられたターゲットが近接センサに近接しているという信号を含むことができ，ロック解除信号は，ロック部材に関連付けられたターゲットが近接センサから離隔しているという信号を含むことができ，その逆も同様である。アップロック装置は，フックが閉鎖位置にあり，かつ，ロック部材がフックと係合したときにのみ「ロック」信号を送信する構成とすることができる。アップロック装置は，他の全ての場合に「ロック解除」信号を提供する構成とすることができる。アップロック装置は，フックが閉鎖位置にあるときにのみロックがフックに係合できる構成とされている場合がある。この場合，ロック状態又はロック部材がロック位置にあることを示す信号は，フックが閉鎖位置にあることを示すものである。代替的に，ロック部材の位置を示す第１信号及びフック部材の位置を示す第２信号をアビオニクスシステムに送信する構成とすることもできる。本方法は，ピンがフックに係合しているか否かを示す信号，「ピンアップ」（保持）信号又は「ピンダウン」信号をアビオニクスシステムに送信するステップを含むことができる。ピンアップ信号は，インジケータ部材に関連付けられたターゲットが近接センサに近接しているという信号を含むことができ，及び／又はピンダウン信号は，インジケータ部材に関連付けられたターゲットが近接センサから離隔しているという信号を含むことができ，その逆も同様である。アップロック装置は，フックが閉鎖位置にあってピンがフックに係合しているときにのみ「ピンアップ」信号が送信する構成とすることができる。アップロック装置は，他の全ての場合に「ピンダウン」信号を送信する構成とすることができる。本方法は，フックがロックされているがピンがフックに係合していないことを信号が示す場合，例えば信号が「ロック」信号及び「ピンダウン」信号である場合に，パイロットに警告を送信するステップを含むことができる。フックが閉鎖位置にロックされ，ピンがフックに係合していることを示す単一の信号をアビオニクスシステムに送信することもできる。代替的に，２つの別個の信号，すなわち，フックが閉鎖位置にロックされていることを示す信号と，ピンがフック内にすることを示す別の信号をアビオニクスシステムに送信することもできる。代替的に，３つの別個の信号，すなわち，フックがロックされていることを示す第１信号，フックが閉鎖位置にあることを示す第２信号，及びピンがフック内に存在することを示す第３信号をアビオニクスシステムに送信することもできる。。
【００５８】
本発明の別の態様では，航空機部品用のアップロック装置が提供され，このアップロック装置は，ストッパと，航空機に取り付けられた捕捉ピンを受け入れる構成としたフックとを備え，フック及びストッパは，閉鎖位置及び開放位置の間で相対的に移動可能であり，アップロック装置は，フックが閉鎖位置にあるときに，フック内に受け入れられている捕捉ピンがフック及びストップの両者に接触する構成とされている。フック及びストッパ間に捕捉ピンが挟持されるアップロック装置によれば，アップロック装置がロックモードにあるときの航空機部品の移動を抑制することができる。これは，航空機部品が翼端装置である場合に特に適用できるものであるが，格納式着陸ギヤ装置及び他の航空機部品と共に有利に適用することが可能である。
【００５９】
フック及び／又はストッパは，相対的に移動できるように取り付けることができる。フックは，開放位置及び閉鎖位置間におけるフックの移動に，フックが開放位置と，ピンがストップから離隔して存在する場所でピンを捕捉する中間位置との間で回転する第１段階が含まれるように取り付けることができる。フックは，開放位置及び閉鎖位置間におけるフックの移動に，フックが中間位置と閉鎖位置との間を移動する第２段階が含まれるように取り付けることができる。この２段階の移動は，ピンの確実な捕捉を容易とすることができる。中間位置では，フックの一部分をストッパから離隔した配置とすることができる。閉鎖位置において，フックの前記部分はストッパに対してより近接する配置とすることができる。第１段階は，開放位置から中間位置までの回転運動を（主に又は全面的に）を含むことができ，中間位置ではフックに受け入れられたピンがストップから離隔している。第２段階は，中間位置から閉鎖位置までのフックの変位（例えば，並進移動）を含むことができ，閉鎖位置では，フックに受け入れられた捕捉ピンは，フックとストップの両者と接触する。従って，第２段階は，フックを変位させてピンをストップと接触させるステップを含むことができる。アップロック装置は，ピンが先ず中間位置においてフックに受け入れられる構成とすることができる。フックが閉鎖位置にあるとき，補足ピンはフック及びストッパの間で圧縮される構成とすることができる。従って，移動の第２段階は，フック及びストッパの間にピンをクランプするステップを含むことができる。
【００６０】
ストッパは，捕捉ピンの一部を受け入れる構成とした停止凹部を備えることができる。従って，フックが閉鎖位置にあるとき，ピンはフックと（少なくとも部分的に）停止凹部の両者に受け入れられる構成とすることができる。ストッパにより，アップロック装置の本体の一部を形成することができる。停止凹部は，アップロック装置の本体及び／又はケーシングにより画定することができる。ストッパにより，アップロック装置の本体又はケーシングの一部を形成することもできる。
【００６１】
アップロック装置は，ストッパに取り付けられたセンサ，例えば圧力センサ又は近接センサを備えることができる。ストッパセンサは，ストッパと接触しているピン，及び／又は停止凹部（存在する場合）内に存在するピンの存在を検出する構成とすることができる。ストッパセンサは，ピンがストッパに接触しているか否かを示す信号をアビオニクスシステムに送信する構成とすることができる。
【００６２】
アップロック装置は，ピンがその保持位置に向けて移動する際のピン及びフック間の接触により，フックを第１位置から中間位置まで回転させる構成とすることができる。アップロック装置は，フックを中間位置から閉鎖位置まで移動させる構成としたアクチュエータを備えることができる。従って，フックを開放位置及び閉鎖位置間での移動は，捕捉ピンとの接触によって生じる回転と，アクチュエータの動作により引き起こされる並進とを含むことができる。
【００６３】
フックは偏心運動可能に取り付けることができる。例えば，フックは，第１点の周りの回転のために取り付けることができ，第１点はそれ自体が第２点周りを回転する構成とすることができる。フックを偏心的に取り付けると，機械的に簡単な方法でフックの回転運動と並進運動の両者が可能となる。フックは，偏心ブッシュを使用して取り付けることができる。本方法は，捕捉ピンがその保持位置に向けて移動する際に，捕捉ピンによりフックを第１点周りに回転させ，次に，第１装着点を第２装着点周りに回転させてピンをストッパに接触させるステップを含むことができる。従って，移動の第１段階は，第１点周りでのフックの回転を含むことができる。移動の第２段階は，第２点周りでの第１点の回転を含むことができる。第２段階は，第１点を第２点周りで１８０度だけ回転させることにより，フックを第２段階の終期にストッパに向けて並進させるステップを含むことができる。
【００６４】
本発明の別の態様では，航空機部品に取り付けられた捕捉ピンを受け入れる構成としたストッパ及びフックを含むアップロック装置を使用して航空機部品を保持する方法が提供される。本方法は：フックをストッパに対して回転させてピンを捕捉するステップと；フックを次にストッパに向けて移動させてピンをフック及びストッパの間に挟持するステップとを備える。
【００６５】
本方法は，航空機部品を保持位置に向けて移動させ，捕捉ピンが保持位置に向けて移動する際の捕捉ピンとフックとの間の接触によりフックを回転させるステップを備えることができる。ピンを捕捉するステップは，フックの係止ク部分内にピンを受け入れるステップを備えることができる。
【００６６】
フックをストップに向けて移動させるステップは，偏心的に取り付けられたブッシュをアクチュエータにより回転させるステップを備えることができる。
【００６７】
本発明の別の態様では，捕捉ピンを含む航空機部品と共に使用するためのアップロック装置が提供され，アップロック装置は，捕捉ピンを受け入れる構成としたフックと，フックの一部分を受け入れる構成としたフック凹部とを備える。フック凹部及びフックの前記部分は，該部分が凹部に受け入れられたときにフックの回転を制限又は防止するように形成することができる。上述したとおり，フックは，閉鎖位置及び開放位置の間を移動できるように取り付けることができる。アップロック装置は，フックが閉鎖位置にあるときにフックの前記部分が凹部内に収容され，フックが開放位置にあるときにフックの前記部分が凹部に収容されない構成とすることができる。このようにフックの一部を凹部内に拘束すれば，アップロック装置の強度を高め，及び／又は航空機部品の移動を減らすことができる。
【００６８】
フックは，開放位置及び閉鎖位置の間におけるフックの移動が，フック凹部に対する回転と並進の両者を含むように取り付けることができる。放位置及び閉鎖位置の間におけるフックの移動は，２つの段階を含むことができる。第１段階は，開放位置から中間位置への移動を含むことができる。開放位置において，フックの前記部分は，フックが自由に回転できるようにフック凹部から離隔させる場合がある。中間位置において，フックは開放位置から回転し，フックの前記部分は，フックがまだ自由に回転できるように，フック凹部から離隔している（より近接させることもできる）場合がある。第２段階は，フックの前記部分がフック凹部に受容される中間位置から閉鎖位置への移動を含み，これによりフックの更なる回転を防止する構成とすることができる。アップロック装置は，移動の第２段階中にフックの一部をフック凹部内に移動させる構成とすることができる。従って，移動の第２段階は，フックの前記部分を凹部に挿入するステップを含むことができる。フック及び凹部は，閉鎖位置において，凹部内に保持されたフックの部分が，例えばフックの回転を制限する構成とすることができる。フックが開放位置にあるとき，小さな部分が凹部内に配置され，又はフックのいずれも部分も凹部内に配置されない構成とすることができる。
【００６９】
フックは，前記部材に対して回転できるようにガイド部材に取り付けることができる。ガイド部材は，フック凹部に対して並進運動できるように取り付けることができる。ガイド部材は，フック凹部に取り付けることができる。フック凹部は，チャネルを備えることができる。ガイド部材は，前記チャネルに沿って往復運動できるようにチャネルに取り付けることができる。移動の第１段階は，フックを開放位置及び中間位置の間でガイド部材に対して回転させるステップを含むことができる。移動の第２段階は，ガイド部材をチャネルに沿って移動させて，フックの前記部分をチャネルに移動させるステップを含むことができる。アップロック装置は，フックを凹部に対して移動させる構成としたアクチュエータを備えることができる。アクチュエータをガイド部材に接続して，ガイド部材を移動させることができる。アクチュエータは，例えばチャネルに沿って前後に凹部内のガイド部材を移動させる構成とすることができる。従って，アクチュエータは，ガイド部材を移動させることにより，フックの一部を凹部に出入りさせることができる。
【００７０】
アップロック装置は，フック及び／又はガイド部材を閉鎖位置にロックする構成としたロック手段を備えることができる。上述したとおり，フックがロック手段により閉鎖位置にロックされる構成とすることができ，センサがロック状態に関する情報をアビオニクスシステムに送信する構成とすることができる。
【００７１】
フック凹部は，アップロックの本体に形成することができる。凹部は，アップロック装置のケーシングにより画定することもできる。凹部は，使用時にフックを凹部に収容するための開口部を備えることができる。フックが閉鎖位置にあるとき，フックの少なくとも一部を凹部内に位置させることができる。
【００７２】
アップロック装置は，フック凹部内のガイド部材又はフックの関連部分の存在を検出する構成としたセンサ，例えば圧力センサ又は近接センサを備えることができる。フックセンサは，フックの一部が凹部に受け入れられたか否かを示す信号を航空アビオニクスシステムに送信する構成とすることができる。アビオニクスシステムは，ロック手段に関連付けられたセンサにより，フックが所定位置にロックされているが，フック又はガイド部材が凹部にないことが示された場合に，パイロットに警告を発する構成とすることができる。
【００７３】
本発明の別の態様において，航空機部品をアップロック装置により所定位置に保持する方法が提供される。アップロック装置は，閉鎖位置及び開放位置の間を移動できるように取り付けられたフックを備え，フックは，航空機部品上に取り付けられた捕捉ピンを受け入れる構成とされている。アップロック装置は，フックの一部を受け入れるように構成されたフック凹部を更に備える。本方法は，フックが開放位置から閉鎖位置まで移動する際に，フックの一部を凹部に挿入して凹部によりフックの移動を拘束するステップことを含む。
【００７４】
本発明の別の態様では，航空機部品用のアップロック装置が提供される。アップロック装置は，閉鎖位置及び開放位置の間を移動できるように取り付けられたフックを備え，フックは，航空機部品に取り付けられた捕捉ピンを受け入れる構成とされており，フックの閉鎖位置からの移動を防止する第１のロック位置と，カムにより閉鎖位置からのフックの移動を許可する第２のロック解除位置との間で回転できるように取り付けられたカムを更に備える。第２の位置において，カムは，フックの閉鎖位置から開放位置に向けての移動，例えば開放位置までの移動を可能とすることができる。従って，ロック部材は回転可能なカムを備えることができる。回転可能なカムを使用すれば，フックに係合する位置で実質的に並進運動するレバー又は他の要素を使用する場合と比較して，詰まりが生じるリスクを減らすことができる。本発明のこの態様の文脈において，カムはフックに加えて設けられるものである。すなわち，アップロック装置はフック及び（付加的に及び別個に）カム（例えば，フック）を備える。
【００７５】
カムは，１８０度を超える回転，例えば２７０度を超える回転，例えば３６０度の完全回転が行えるように取り付けることができる。カムは，第１方向に例えば時計回り又は反時計回りで回転するように取り付けることができる。カムは，回転できるように取り付けることができ，及び／又はアップロック装置は，カムを例えば時計回り又は反時計回りで一方向にのみ回転させる構成とすることができる。。
【００７６】
カムは，実質的に円筒形部材又はディスク形態として構成することができる。しかしながら，カムは非円形断面を有することもでき，例えば，カムは楕円柱として構成することができる。フックは，カムの一部をその中に受け入れる構成としたロック凹部（より詳細に上述されている）に接続し，又はロック凹部を含む本体に接続することができる。ロック位置では，カムの一部がロック凹部に受け入れられる。ロック位置では，カムをフックと直接接触させることができる。ロック解除位置では，カムをロック凹部から解除することができる。ロック解除位置において，カムは，フック及び／又はロック凹部から離隔させることができる。ロックカムとフックの間に機械的なリンクが設けられない構成も想定される。
【００７７】
本発明の別の態様では，航空機部品用のアップロック装置が提供される。アップロック装置は，カムと，開放位置及び閉鎖位置の間を移動できるように取り付けられたフックとを備え，フックは，航空機部品に取り付けられた捕捉ピンを受け入れる構成とされている。本方法は，カムがフックの移動を防止するロック位置から，カムがフックの移動を許可するロック解除位置まで，カムを第１方向に回転させるステップを含むことができる。カムをロック解除位置まで回転させた後，本方法は，カムをロック位置に復帰させるために第１方向に回転させるステップを更に含むことができる。
【００７８】
着陸ギヤ装置以外の航空機部品，例えば翼端装置と共に使用するためのアップロック装置も提供される。この場合のアップロック装置は，閉鎖位置及び開放位置の間を移動できるように取り付けられたフックを備え，フックは閉鎖位置にあるときに，翼端装置に取り付けられた捕捉ピンと係合する構成とされ，フックを閉位置にロックする構成としたロック手段を更に備える。従って，本発明の別の態様では，固定部と，固定部に取り付けられて地上モードと飛行モードの間で移動可能な翼端装置と，翼端装置に取り付けられた捕捉ピンとを備える翼アセンブリを提供することができる。翼アセンブリは，翼の固定部分に取り付けられたアップロックを更に備える。アップロック装置は，閉鎖位置及び開放位置の間を移動できるように取り付けられたフックと，フックを閉鎖位置にロックする構成としたロック手段とを備える。翼アセンブリは，使用中，フックが閉鎖位置にあり，翼端装置が飛行モードにあるときに，フックが捕捉ピンに係合する構成とされている。アップロック装置は，アクチュエータが作用しない限り，ロックが解除されたときにフックを閉鎖位置に留める構成とすることができる。アップロック装置は，ロック手段が解除されたときにフックを閉鎖位置に維持するためのバイアス機構を備えることができ，バイアス機構は，その中に受け入れられた捕捉ピンによりフックに及ぼされる力がバイアス力に打ち勝つには不十分であって，フックが閉鎖位置から開放位置に向けて移動する構成とされる。アップロック装置は，（ｉ）フックが閉鎖位置にあるか否か，（ｉｉ）ロック手段（又は存在する場合はロック部材）がロック位置にあるか否か，（ｉｉｉ）捕捉ピンがフックに係合しているか否か（例えば，インジケータ部材が第１位置にあるか否か）に応じて，単一の信号をアビオニクスシステムに送信する構成としたセンサ，例えば近接センサを含むことができる。アップロック装置は，上記（ｉ），（ｉｉ），及び（ｉｉｉ）の全ての条件に該当する場合にのみ，センサにより安全信号（又はアビオニクスシステムにより「安全」と解釈される信号）を送信する構成とすることができる。アップロック装置は，上記（ｉ），（ｉｉ），及び（ｉｉｉ）の何れかの条件に該当しない場合，不安全信号（又はアビオニクスシステムが「不安全」と解釈することのできる信号）が送信される構成とすることができる。アップロック装置は，上述したとおり，ターゲット，センサ部材及びリンク部材を備えることができる。
【００７９】
本発明の別の態様では，アビオニクスシステムが提供され，これは他の任意の態様に係るアビオニクスシステムとして使用するように構成される。
【００８０】
本発明の別の態様では，本発明の他の任意の態様に係るアップロック装置を含む航空機構造，他と言えば翼又は胴体が提供される。翼又は胴体には，格納式着陸ギヤ装置を取り付けることができる。翼又は胴体は，着陸ギヤ装置が引き込まれたときに着陸ギヤ装置を拘束する構成としたアップロック装置を備えることができる。翼は，固定部分及び翼端装置を備えることができる。翼は，翼端装置に取り付けられた捕捉ピンを介して装置を拘束するように固定部分に取り付けたアップロック装置を備えることができる。航空機は，商用旅客機，例えば５０人以上の乗客，例えば１００人以上の乗客を運ぶことができる航空機で構成することができる。
【００８１】
本発明の一態様に関連して説明された特徴を，本発明の他の態様に組み込むことができる。例えば，本発明の方法は，本発明の装置を参照して説明された特徴の何れかを組み込むことができ，逆も同様である。本発明の一態様に関連して上述したアップロック装置における種々の構成要素，例えばフック，ロック手段，インジケータ部材，バイアス機構，カム，本体，ケーシング，カム表面，及び／又は関連するアビオニクスシステムを被限定的に含む構成要素は，本発明の他の態様に係るアップロック装置又は航空機に適用することもできる。  また，上述した異なる態様の１つ又は複数を単一のアップロック装置に組み合わせることも想定される。
【００８２】
なお，文脈上において必要とされる場合を除き，「又は」との用語は，「及び／又は」と同義に解釈される。
【図面の簡単な説明】
【００８３】
次に，本発明の実施形態を，添付の概略図を参照して，もっぱら例示的に説明する。 
【図１】図１は，（ａ）開放モード及び（ｂ）ロックモードにおける従来技術のアップロック装置の概略図である。
【図２】図２は，本発明の第１実施形態による着陸ギヤ装置用のアップロック装置を含む航空機の概略図である。
【図３】第１実施形態に係るアップロック装置の要部の概略拡大図であり，（ａ）は開放モード，（ｂ）は閉鎖モードを示す。
【図４】第２実施形態に係るアップロック装置の要部概略図である。
【図５】第３実施形態に係るアップロック装置の要部概略図である。
【図６】第４実施形態に係るアップロック装置の要部概略図であり，（ａ）は開放モード，（ｂ）は閉鎖モードを示す。
【図７】第５実施形態に係るアップロック装置の要部概略図であり，（ａ）は開放モード，（ｂ）は閉鎖モードを示す。
【図８】第６実施形態に係るアップロック装置を含む翼の要部概略図であり，（ａ）は地上モード，（ｂ）は飛行モードを示す。
【図９】（ａ）〜（ｆ）はロックプロセスの種々の時点における第６実施形態に係るアップロック装置の要部概略図である。
【図１０】第７実施形態に係るアップロック装置の要部概略図であり，（ａ）は開放モード，（ｂ）は閉鎖モードを示す。
【図１１】第８実施形態に係るアップロック装置の要部概略図であり，（ａ）は開放モード，（ｂ）は閉鎖モードを示す。
【図１２】第９実施形態に係るアップロック装置の要部概略図であり，（ａ）は開放モード，（ｂ）は閉鎖モードを示す。
【図１３】第１０実施形態に係るアップロック装置で使用するためのフックの概略図である。
【図１４】第１０実施形態で使用するための検知ワイヤの断面図である。
【発明を実施するための形態】
【００８４】
図２は，捕捉ピン１２６（図２に図示せず）が取り付けられた着陸ギヤ装置１０３と，アップロック装置１０１（図２に図示せずと，アビオニクスシステム（図２に図示せず）とを備える本発明の第１の例示的実施形態に係る航空機１００を示す。以下の実施形態は，格納式着陸ギヤ装置に関連させて説明されているが，捕捉ピン１２６は，折り畳み式の翼の先端部に取り付けることもできる。
【００８５】
図３は，第１実施形態による着陸ギヤ装置アップロック１０１の概略図を（ａ）開放したロック解除モード及び（ｂ）閉鎖したロックモードで示す。アップロックは，明確性の見地からここに示されていない他の構成要素を含むことが理解されよう。ここでは，図１の従来技術のアップロック装置１とは異なるアップロック１０１の構成要素のみを説明する。同様の参照番号は，同様の構成要素を示す（例えば，図１のアップロックは参照数字１が付され，図３のアップロック装置は参照数字１０１が付されている）。図１のアップロック装置１における構成要素に加えて，第１実施形態に係るアップロック装置１０１は，ピボット点Ａの周りで回転できるように，その長手方向中間部に取り付けられたＬ字型インジケータレバー１３０を備える。アップロック装置１０１は，インジケータレバー１３０の時計回りで回転を制限し，一端がピボット点Ａの上方でインジケータレバー１３０に接続され，他端がフック１０２の右側で本体１２２に接続されたバイアスばね１３４も備える。インジケータレバー１３０の上端はセンサターゲット１３６を含み，アビオニクスシステム１４６に接続された対応する近接センサ（図示せず）が本体１２２に取り付けられている。本体１２２は，アップロック装置１０１を航空機１００に固定するための上端にアイレット１２４を有する。
【００８６】
図３（ａ）の開放モードにおいて，フック１０２及びロックレバー１０８の配置は，図１（ａ）について上述したとおりである。インジケータレバー１３０は，バイアスばね１３４によってインジケータストッパ１３２に押圧されて保持され，インジケータレバー１３４上のターゲット１３６は，対応するセンサから離隔している。図３（ｂ）のロックモードにおいて，フック１０２及びロックレバー１０８の配置は，図１（ｂ）について上述したとおりである。インジケータレバー１３０は，図３（ａ）の位置に対してピボット点Ａを中心として反時計回りに回転させる。これにより，インジケータレバー１３０の上部は，ストッパ１３２（図３（ｂ）には個別的に示されていない）から離隔している。また，レバー１３０上のターゲット１３６は，対応するセンサに隣接している（図３（ｂ）には個別的にされていない）。開放モードにおけるインジケータレバー１３０の位置は，図３（ｂ）に破線で示されている。
【００８７】
使用中，上述したとおり，着陸ギヤ装置１０３を格納すると共にフック１０２を開放位置から閉鎖位置まで反時計回りに回転させると，捕捉ピン１２６がフック１０２に接触する。その結果，捕捉ピン１２６の上側もピボット点Ａの下方でインジケータレバー１３０の下側部分に接触して該部分を押し上げ，レバー１３０を点Ａ周りで反時計回りに回転させ，それによりターゲット１３６を近接センサに接近させる。フック１０２のフック付き底部が構造的に損傷した場合，捕捉ピン１２６が降下し，ばね１３４（図３（ｂ）に個別的に示されていない）のバイアス作用下で，インジケータレバー１３０をストッパ１３２に接触するまで時計回りに回転させ，インジケータターゲット１３６をセンサから離隔させる。図１の従来技術の装置では，関連するセンサ１１４に隣接するロックレバーターゲット１１２により，「ロック」信号がアビオニクスシステム１４６に送信される。本実施形態に係るアップロック装置では，インジケータレバーターゲット１３６が関連するセンサに隣接すると，「アップ」信号がアビオニクスシステム１４６に送信される。ロックレバーセンサが「ロック」状態を示すも，インジケーターレバーセンサが「アップ」状態を示していない場合，アビオニクスシステム１４６は，潜在的なアップロック障害があることをパイロットに警告する。従って，本実施形態によるアップロック装置は，フック１０２のフック部分が故障する以前に隠された故障モードを検出するが，フック１０２の残りは閉鎖位置に留まり，従ってロックレバー１０８はロック位置に留まる。そのため，ロックセンサ１１４は依然として「ロック」状態を示す。
【００８８】
第１実施形態の変形例（図示せず）においては，インジケータレバー１３０の寸法が変更され，ロックレバーターゲット１１２及びインジケータレバーターゲット１３６の両者がロック位置で同一のセンサに隣接する。従って，本実施形態に係るアップロック装置は，追加のセンサを必要とすることなく，以前には隠れていた故障モードを検出可能とするものである。
【００８９】
図４は，フック２０２が閉鎖位置にある例示的な第２実施形態に係るアップロック装置２０１で使用するためのフック２０２を示す。ここでは，第１実施形態と異なる第２実施形態の構成要素のみについて説明する。同様の参照番号は，同様の構成要素を示す。第２実施形態において，インジケータバー２３０は，フック２０２の下部におけるフック部分を横切って延在し，フック２０２の先端に隣接する図４でＣとラベル付けされた点の周りの枢動のために一端に取り付けられる。ばね２４０は，バー２３０の他方の（第２の）端部をフック２０２の左側に接続する。センサターゲット２３６は，バー２３０の第２の端部に位置する。近接センサ２３８は，バー２３０の第２の端部の領域でケーシング（図４には示されていない）に取り付けられ，アビオニクスシステム２４６に接続されている。ピン２２６はフック２０２に受け入れられ，バー２３０の上側に載っている。
【００９０】
使用中，ピン２２６が（図４に示すように）フック２０２に受け入れられると，ピン２２６は，センサターゲット２３６が密接するように，ばね２４０の作用に抗してインジケータバー２３０を押し下げ，センサターゲット２３６を近接センサ２３８に隣接させる。ターゲット２３６がセンサ２３８に隣接すると，「アップ」信号が航空機システム２４６に送信される。フック２０２が故障している場合，又はピン２２６がフック２０２ともはや係合しなくなる他の何らかの故障が発生している場合，ばね２４０はインジケータバー２３０の第２端部を持ち上げ，それによりターゲット２３６をセンサ２３８から離隔させる。第１実施形態におけるように，ロックセンサ（図４に個別的には示されていない）が「ロック」信号を送信しているが，インジケーターセンサ２３８が「アップ」信号を送信していない場合，アビオニクスシステム２４６により，パイロットにはフック２０２が故障していることが警告される。
【００９１】
図５は，例示的な第３実施形態に係るアップロック装置３０１を示す。ここでは，第１実施形態と異なる本実施形態の構成要素のみを説明する。同様の参照数字は，同様の構成要素を示す。図３のインジケータレバー１３０の代わりに，図５の実施形態は，ピボット点Ａ及びケーシング３２２を介してフック３０２及びアイレット３２２の間で延在する（図５の破線３４４で概略的に示す）荷重経路上の位置に配置された歪みゲージ３４２を含む。図５に示すような荷重経路３４４は，荷重経路の例示的な概略図であり，実際問題として主荷重経路は直角に変化するものではなく，より湾曲した滑らかな経路に連続するものである。歪みゲージは，本実施形態ではフック３０２の荷重経路３４４上に配置されているが，主荷重経路に沿う任意の場所，又は主荷重経路に十分に近接してアップロックフック３０２の荷重状態と無荷重状態を明確に区別可能とする任意の場所に配置することが可能である。歪みゲージは，航空機部品の補足ピンが閉鎖位置にあるフックと係合しない場合と比較して，捕捉ピンが閉鎖位置にあるフック内に係合したときに領域が異なる歪みを受けるように，アップロックの取り付け点に十分近接する航空機の任意の場所に配置することができる。使用中，歪みゲージは，フック３０２の歪みの測定に対応する信号をアビオニクスシステム３４６に送信する（歪みゲージ３４２及びアビオニックシステム３４６の間の接続は，明確性の見地から図５には示されていない）。信号が所定の閾値を超える歪み，例えば３０ｋＮの荷重に対応する閾値歪みに対応する場合には，フック３０２内にピン３２６が存在することが示される。ロックセンサ３１４が「ロック」状態を示しているが，測定された歪みが閾値を下回っている場合，アビオニクスシステム３４６により，フック３０２が故障している可能性についてパイロットに警告を発することができる。従って，本実施形態に係るアップロック装置は，図３及び図４における追加の機械的要素を必要とすることなく，以前には隠されていた故障モードを検出可能とするものである。
【００９２】
従って，第３実施形態は，より一般的に，格納式航空機着陸ギヤ装置がアップ及びロック位置にあることを検出するための装置を提供するものである。この装置は：（ａ）支持部材（例えば，フック，ハンガー，ラッチ，あるいは同様のデバイス又は部分）を有し，着陸ギヤ装置の一部（例えば，捕捉ピン，バー，ラッチ装置，着陸ギヤ装置の脚部又はその他の部分を形成するか，あるいは着陸ギヤ装置に取り付けられているかを問わない）に係合して，着陸ギヤ装置が格納されたときに着陸ギヤ装置を所定位置にロックする構成としたアップロック装置と；（ｂ）アップ及びロック位置にあるときに着陸ギヤ装置からの荷重の少なくとも一部に支持部材が反応していること検出するためのロードセル（例えば，使用中，支持部材と係合する着陸ギヤ装置の部分まで，又は当該部分から延在する航空機上の荷重経路であって，任意的に着陸ギヤ装置の前記部分の領域まで，及び／又は当該領域を横切って延在する荷重経路に沿う場所に取り付けられる）；（ｃ）ロードセルからの信号を受信する構成とされ，ロードセルからの信号（及び他のデータ，信号等）を使用して，着陸ギヤ装置が格納され，アップロック装置により格納位置でロックされているか否かを判断する構成とされた制御ユニット（例えば，アビオニクスシステム形態とすることができ，アビオニクスシステムに接続される構成とすることができ，スタンドアロン型インジケータシステムで構成することができ，あるいは単純な出力信号を送信するプロセッサ又はコンパレータで構成することができる）；を備える。制御ユニットは，例えば，アップ及びロック表示の形式で出力を提供する。出力は，電子的な出力，視覚的な出力，又はその他の形態の出力とすることができる。ロードセルは，荷重経路に沿う１つ又は複数の位置で荷重を測定するように配置することができる。例えば，ロードセルは，着陸ギヤ装置における前記部分（例えば，捕捉ピン）の一側又は他側に配置することができ，すなわち，捕捉ピン自体の一部を形成しない構成とすることができ，あるいは捕捉ピン自体に含まれない構成とすることができる。ロードセルは，支持部材（フック等）の中又は上に配置することができる。ロードセルは，着陸ギヤ装置における前記部分（例えば，捕捉ピン）の中又は上に配置することができる。ロードセルは，捕捉ピンではなく，ヒンジ軸，車軸又はシャフト等の中又は上の場所に配置することができる−支持部材は，例えば当該車軸又はシャフト周りで回転できるように配置される（代替的に，そのような場所にロードセルを配置しない構成も想定される）。ロードセルは，アップロック装置におけるケーシング内又はケーシング上に配置することができる。ロードセルは，アップロック装置を保持するか，又はアップロック装置からの荷重に反応する航空機構造部内又は上に配置することができる。本実施形態は，航空機の着陸ギヤ装置が引き込められていること，並びに，着陸ギヤ装置に関連する捕捉ピンがロックされていることの両者を確認するために，捕捉ピンの何れかの側に至る荷重経路に沿う場所において荷重を測定するステップを含む方法を実行可能とするものである。
【００９３】
図６（ａ）及び（ｂ）は，（ａ）開放したロック解除モード及び（ｂ）閉鎖したロックモードにおける例示的な第４実施形態に係るアップロック装置４０１を示す。ここでは，図１の従来技術のアップロック装置１とは異なる第４実施形態の構成要素のみを説明する。同様の参照数字は，同様の構成要素を示す。従来技術のアップロック装置におけると同様にフック４０２とロックレバー４０８との間に延在するばね４１８に加えて，本実施形態は，一端がフック４０２の左側に取り付けられ，他端がフック４０２の右側に向かう点で本体４０２に取り付けられたバイアスばね４４８を含む。バイアスばね４４８は，アップロック装置４０１が図６（ａ）の開放モードにあるときにピボット点Ａの上方を通過し，アップロック４０１が図６（ｂ）の閉鎖モードにあるときにピボット点Ａの下方を通過する。
【００９４】
従来技術のアップロック装置におけると同様に，ロックレバー４０８がアクチュエータ４２０により解放されると，引張ばね４１８はフック４０２を開放位置に向けて時計回りに回転させる機能を有する。しかしながら，本実施形態では，バイアスばね４４８が逆方向に作用して，フック４０２を閉鎖位置に保持する。２つのばね４１８，４４８は，フック４０２に係合したときにピン４２６の重量に基づく追加の時計回りの力が，バイアスばね４４８による力に打ち勝ち，ばね４１８がフック４０２を開放させるために必要とされるバランスがとられている。フック４０２が回転して特定の点を超えると，ばね４４８はピボット点Ａの上方に位置し，従ってフック４０２を閉鎖位置に向けて押圧しなくなる。フック４０２の下部が破損しているためにピン４２６がフック４０２内に存在しない場合，ロックレバー４０８がアクチュエータによって持ち上げられると，フック４０２は閉鎖位置に留まる。アップロック解除の命令がなくなり，アクチュエータ４２０が解除されると，ロックレバー４０８は，閉鎖位置に留まっているフック４０２の上部のロック凹部４２８に復帰し，ロックレバーセンサ４１８は「ロック」信号をアビオニクスシステム４４６に送信する。しかしながら，着陸ギヤ装置は展開されており，（図示されていない他のセンサを介して）「ダウンロック」信号をアビオニクスシステム４４６に送信する。アップロックからの「ロック」信号と着陸ギヤ装置からの「ダウンロック」信号のこのような組み合わせにより，アビオニクスシステム４４６は，アップロック障害が発生した可能性があることをパイロットに警告する。従って，本実施形態に係るアップロック装置は，以前には隠されていた故障モードを検出可能とするものである。
【００９５】
図７（ａ）及び（ｂ）は，（ａ）開放したロック解除モード及び（ｂ）閉鎖したロックモードにおける本発明の例示的な第５実施形態を示す。ここでは，図６の実施形態とは異なる本実施形態の構成要素のみを説明する。同様の参照数字は，同様の構成要素を示す。本実施形態では，カム面５０４は，フック５０２の一部としてではなく，別個のカム５５０に設けられている。カム５５０は，ピボット点Ｃの周りでピボット運動できるように取り付けられ，リック５５２は，フック５０２とカム５５０との間に延在する。使用中，ピン５２６が上向きに移動すると，ピン５２６は，点Aを中心に時計回りに回転するフック５０２に接触する。フック５０２とカム５５０との間のリンク５５２により，カム５５０は点Ｃを中心に時計回りに回転する。これは，フック５０２が閉鎖位置にあり，ロックレバー５０８上のローラ５１０がカム面５０４の左側端部における凹部５２８内に落ち込んでフック５０２を所定位置にロックするまで継続する。ロックレバー５０８が凹部５２８内に入ると，カム５５０の反時計回りの回転が防止され，カム５５０とフック５０２との間のリンク機構５５２によりフック５０２の閉鎖位置からの移動が防止される。ロックレバー５０８がロックアクチュエータ５２０により解放されると，図６の実施形態におけると同様に，ピン５２６が付加的に必要な力をフック５０２に作用させてばね５１８，５４８の間のバランスに打ち勝つ限り，フック５０２は，ばね５１８，５４８の作用下で解放モードに復帰する。。
【００９６】
図８（ａ）及び（ｂ）は，固定部分６８０及び折り畳み翼端６８２を備える航空機翼６００の（ａ）地上モード及び（ｂ）飛行モードにおける概略図である。本発明の第６実施形態に係るアップロック装置６０１（図９でより詳細に示す）は，固定翼部６８０の下側に取り付けられた状態で示されている（アップロック装置は，地齋には翼ボックス内に配置されるが，発明を説明するために図８に示す）。アップロック装置６０１は，Ｕ字形のピン凹部６５２及びフック６０２を有するストッパ６５４を備える。翼端装置６８２の下側には，ピン６２６が取り付けられている。図８（ａ）の地上モードにおいて，翼端６８２は航空機のピッチ軸に対して直角であり，ピン６２６はアップロック６０１装置から離隔している。図８（ｂ）の飛行モードにおいて，翼端６８２は，固定部分６８０及び翼先端６８２の上面及び下面が連続するように，翼６８０の固定部分と位置合わせされている。ピン６２６はピン凹部６５２内に配置されており，フック６０２は上向きに回転しており，ピン６２６と係合している。使用中，フック６０２は，翼端装置６８２が地上モードに向けて反時計回りに回転するのを防止する。
【００９７】
図９（ａ）〜（ｆ）は，第６実施形態に係るアップロック装置６０１の一部拡大図である。アップロック装置６０１は，右側から延在するアーム６０６を有するフック６０２を備える。フックは，第１の点の周りで回転できるように偏心ブッシュ６５６に取り付けられ，第１の点は，それ自体が第２の点の周りを回転する。
アップロック装置は，一端にＵ字形のピン凹部６５２を有するストッパ６５４を更に備え，凹部６５２は，捕捉ピン６２６の一部を受け入れる寸法及び形状を有する。ストッパ６５４の他端は，本体（図９には図示せず）に取り付けられている。
【００９８】
ばね６１８（図９（ｂ）〜（ｆ）には図示せず）は，フック６０２を図９（ａ）の開放位置に保持する。使用中，折り畳み翼先端６８２が地上モードから飛行モードに向けて移動すると，ピン６２６は，アーム６０６に接触するまでアップロック６０１に向けて移動し，フック６０２を第１の点の周りで反時計回りに押圧し始める。
ピン６２６は，ピンがストップ６５４に当接し，ストップ凹部６５２に収容されるまでフック６０２を回転させ続ける（図９（ｃ）を参照）。この段階で，フック６０２の底部はピン６２６から離隔する。次に，第１の点を第２の点の周りに回転させることにより，偏心ブッシュ６５６を回転駆動し，フック６０２をストッパ６５４に向けてピン６２６上まで引っ張る（図９（ｄ）を参照）。フック６０２のこの駆動及び結果的に生じる並進運動は，図９（ｆ）に示すように，ピン６２６がフック６０２とストッパ６５４との間に挟持され，ピン６２６の中心が第２の点と位置合わせされ，第１の点が第２の点を中心に１８０度移動するまで継続される（図９（ｅ）を参照）。本実施形態に係るアップロック装置は，航空機部品の移動を抑制することが望ましい場合に特に有利である。これは，アップロック装置６０１がロックされると，ストッパ６５４に対するフック６０２の移動によりピン６２６の周りの隙間が減少するため，翼端が飛行中の空力負荷の変動にさらされる場合に翼端装置６８２の移動が抑制されるからである。
【００９９】
図１０は，本発明の例示的な第７実施形態によるアップロックの一部を，（ａ）開放したロック解除モード及び（ｂ）閉鎖したロックモードで示す。ここでは，第２実施形態とは異なる本実施形態の構成要素のみを説明する。同様の参照数字は，同様の構成要素を示す。本実施形態において，フック７０２は，偏心ブッシュ７５６に取り付けられている。第２実施形態におけると同様に，アップロック装置７０１は，ピンがフック７０２に受け入れられたときにピン７２６により押し下げられるインジケータバー７３０を含む。第２実施形態とは対照的に，ターゲット７１２はインジケータバー７３０上に配置されておらず，代わりに別個の細長い部材７６０上に取り付けられている。アップロック装置は，２つのリンク７６２ａ及び７６２ｂを更に備え，各リンク７６２は，それぞれの一端で細長い部材７６０に枢動可能に接続される。第１のリンク７６２ａは，他端でインジケータバー７３０に枢動可能に接続される。第２のリンク７６２ｂは，他端でフック７０２に枢動可能に接続される。ばね７４０は，フック７０２の左側の第２のリンク７６２ｂに接続されている。フック７０２の左下隅は，図１０において符号Ｄで表された軸に沿って往復運動するように取り付けられたロックピストン７０８を受け入れる大きさの凹部７２８を含む。第２のリンク７６２ｂは，凹部７２８に達するように延在している。センサ７１４の位置は，図１０に破線で示されている。センサ７１４は，アップロック７０１装置が開放したロック解除モードにあるとき，第２のリンク７６２ｂの領域でケーシング（図示せず）に取り付けられる。閉鎖してロックされた位置で，ピンがフックに受け入れられると，ターゲット７１２はセンサ７１４に近接する領域に配置される。ピン７２６がフック７０２に受け入れられていない場合，フック７０２が開放モードにある場合，又はフックがロック解除されている場合，あるいはそれらの任意の組み合わせの場合，ターゲット７１２はセンサ７１４から更に離隔した場所に配置される。ターゲット７１２がセンサ７１４に最も近接する位置にあるとき，センサは，アビオニクスシステム７４６に「アップ及びロック」信号を送信する。
ターゲット７１２がセンサ７１４に最も近接する位置にない場合，センサは，アビオニクスシステム７４６に信号を送信し，コックピットにアップロック障害の可能性を警告する。
【０１００】
使用中，ピン７２６はフックアーム７０６の下側に接触して，フック７０２を回転させる。ピン７２６がフック７０２に受け入れられると，インジケータバー７３０が押し下げられ，リンク７６２への接続を介してターゲット７１２をセンサ７１４に向けて移動させる。フック７０２が図１０（ｂ）の閉鎖位置に到達すると，ロックピストン７０８は凹部７２８内まで移動し，そこで第２リンク７６２ｂに接触する。ピン７２６がインジケータバー７３０を押し下げ，ロックピストン７０８がリンク７６２ｂに接触すると，リンク７６２がセンサ７１４とターゲット７１２が互いに接近する位置まで細長い部材７６０を移動させる（図１０（ｂ）。次に，センサ７１４により，「アップ＆ロック」信号を航空機システムに送信する。アップロック７０１装置は，フック７０２が閉鎖位置にロックされ，ピン７２６がフック７０２内にあるとき，ターゲット７１２がセンサ７１４にのみ隣接する構成とされている。従って，本実施形態に係るアップロック装置は，単一のセンサで以前に隠されていた故障モードの検出を可能とするものである。
【０１０１】
図１１は，本発明の例示的な第８実施形態に係るアップロック装置８０１を，（ａ）閉鎖状態及びロック状態と，（ｂ）開放状態及びロック解除状態で示す。ここでは，第７実施形態と異なる本実施形態の要素のみを説明する。同様の参照数字は，同様の構成要素を示す。本実施形態において，ロックピストン７０８は，非円形断面を有するカム８６４に置き換えられ，第２リンク８６２ｂは，ロックカム８６４に隣接するリンクの端部にローラ８６６を含む。図１１（ａ）のロックモードでは，カム８６４が回転してカムの一部がロック凹部８２８に受け入れられ，ピン８２６の存在と相まって，カム８６４及びリンク８６２ｂの接触によりインジケータバー８３０が押圧され，センサ８１４及びターゲット８１２を整列状態に維持する。図１１（ｂ）のロック解除モードでは，カム８６４の何れの部分もロック凹部内に位置しないようにカムが回転し，これを防止するためにカム８６４と接触させずにリンク８６２ｂを回転させると，センサ８１４がターゲット８１２から移動する。ローラ８６６により，リンク８６２は，カム８６４の移動に適応可能である。本実施形態に係る回転ロックカムを有するアップロック装置は，他の移動を伴うロック部材を有するアップロック装置と比較して，摩擦による損失及び／又は詰まりのリスクの低減できるものである。
【０１０２】
図１２は，本発明の例示的な第９実施形態によるアップロック９０１の一部を，（ａ）開放及びロック解除モードと，（ｂ）閉鎖及びロックモードで示す。ここでは，第６実施形態と異なる本実施形態の構成要素のみを説明する。本実施形態においては，フック９０２が，ガイド部材９７０上に位置する点Ａを中心に回転できるように取り付けられている。ガイド部材９７０は，アップロック装置９０１の本体９２２に形成されたチャネル９７２に沿う往復運動ができるように取り付けられている。アクチュエータ９２０は，フック９０２の上方に位置し，ビーム９７４の中間点に枢動可能に接続されている。ガイド部材９７０は，ビーム９７４及びガイド部材９７０にその端部が枢動可能に接続される単純なリンク９７６ａを介して，ビーム９７４の左側に接続される。フック９０２は，ビーム９７４及びフック９０２の端部に枢動可能に接続された単純なリンク９７６ｂを介してビーム９７４の右側に接続されている。ロックくさび９７８及びばね９７９を備える油圧ロック９０８が，ビーム９７４に隣接して設けられている。図１２（ｂ）は，フック９０２が閉鎖位置にあるときに，ロックくさび９７８とは反対側で，フックアーム９０６が占める位置に隣接するストッパ凹部９５２の縁部にあるセンサ９１４（図１２に矢印で示す）を示す。図１２（ａ）は開放モードを示している。この場合，ピン９２６はフック９０２及びストップ９５４から離隔して配置され，ガイド部材９７０はチャネル９７２の上部から離隔して配置され，ビーム９７４の左側はビームの右側よりも高い位置にある。ロックくさび９７８は，対応するセンサ９１４から間隔を空けて配置されている。図１２（ｂ）は，ロック及び閉鎖モードにおけるアップロック装置を示す。この場合，ピン９２６はフック９０２とストップ９５４との間で圧縮され，ガイド部材９７０はチャネル９７２の上部にあり，ビーム９７４は水平である。
【０１０３】
使用中，着陸ギヤ装置（図示せず）が格納されているとき，ピン９２６がフックアーム９０６の下側に接触して，フックを点Ａの周りで反時計回りに回転させる。アクチュエータ９２０が後退すると同時に，ビーム９７４が上昇して（リンク９７６を介して）ガイド部材９７０をチャネル９７２内で上向きに移動させ，フック９０２を回転させて，ビーム９７２を水平にする。ビーム９７２を水平にすると，油圧がロック手段９０８に供給され，そのくさび９７８をビーム９７２の右端の下側で駆動することにより，フック９０２の開放位置への復帰を防止することができる。油圧９７９が解放されると，ばね９７９がくさびをこの位置に維持する。ガイド部材９７０の上向き移動により，フック９０２を更にチャネル９７２内に引き込め，チャネルに係合するフック９０２の部分によりフック９０２の更なる回転を防止する。センサ９１４は，（ｉ）くさび９７８がビーム９７４と係合していること，（ｉｉ）フック９０２が閉鎖位置にあること，（ｉｉｉ）ピン９２６がストップ９５４に隣接していること，を示す信号を送信する。これらの基準の全てが満たされると，アップロック装置が適切に作動したことを示す信号がパイロットに送信することができる。逆に，３つの基準のうち２つのみが満たされている場合，アップロック装置が故障している可能性があることをパイロットに警告することができる。
【０１０４】
図１３は，例示的な第１０実施形態に係るアップロック装置で使用するためのフック１００２の断面図である。ここでは，従来技術のアップロック装置１とは異なる本実施形態の構成要素のみを説明する。同様の参照番数字は，同様の構成要素を示す。フック１００２は，検知ワイヤ１０９０（図１３に破線で示され，図１４により詳細に示される）を含み，検知ワイヤ１０９０は，フック１００２の表面に形成された溝内でフック１００２の下部の周囲の周りに延在する。検知ワイヤ１０９０は，電源１０８８及び抵抗値測定回路１０８６に接続されている。抵抗値測定回路１０８６は，アビオニクスシステム１０４６に情報を送信する。明確性の見地から，電源１０８８，抵抗測定回路１０８６及びワイヤ１０９０の間の接続は，図１３には示されていない。抵抗値測定回路１０８６は，アビオニクスシステム１０４６に接続されている。
【０１０５】
使用中，電源１０８８によりワイヤ１０９０に電流を供給し，回路１０８６によりワイヤ１０９０の抵抗値を測定し，その情報をアビオニクスシステム１０４６に送信する。通常の使用において，検知ワイヤ１０９０は，溝内に配置されることにより，アップロック装置における他の構成要素との接触や損傷から保護され，ワイヤの抵抗値は実質的に一定のままである。フック１００２の下部が剪断して検知ワイヤ１０９０が損傷し，例えば，変形，伸張又は断線を生じると，ワイヤ１０９０の抵抗値が変化する。例えば，ワイヤ１０９０が断線すると，これは非常に高い抵抗値を有する開回路につながる。ワイヤ１０９０における抵抗値のこの変化は，回路１０８６により検出され，回路１０８６は，新しい抵抗値に対応する信号をアビオニクスシステムに送信する。抵抗値の変化により，アビオニクスシステム１０４６は，パイロットにアップロック装置の障害の可能性を警告する。
【０１０６】
図１４は，第１０実施形態における検出ワイヤ１０９０の概略断面図である。検知ワイヤ１０９０は，回路１０８６に接続された接地ワイヤ１０９２ａ及び検出器ワイヤ１０９２ｂを含む。２つのワイヤ１０９２は，絶縁材料１０９４によって分離されている。通常の使用では，絶縁体により検出器ワイヤ１０９２ｂと接地ワイヤ１０９２ａの間に電流が流れるのを防止し，検出器ワイヤ１０９２ｂ（及びその回路が一部である）は第１の電圧値を有する。フック１００２が破損し，検出ワイヤ１０９０が相当に変形すると，検出器ワイヤ１０９２ｂが接地ワイヤ１０９２ａと接触し，検出器ワイヤ１０９２ｂから接地１０９２ａに電流が流れ，検出器ワイヤ１０９２ｂの抵抗値が変化する。ワイヤ１０９２ｂへの損傷が深刻な場合，ワイヤ１０９２ｂは破損し，再び抵抗値が変化する。他の実施形態において，単純な単線形式の検知線を使用することもできる。
【０１０７】
特定の実施形態を参照して本発明を記載及び図示したが，本明細書に具体的に図示されていない多くの異なる変形例にも本発明は有用である。特定の可能な変形例に関する記載は，単なる例示に過ぎない。
【０１０８】
特定の実施形態を格納式着陸ギヤ装置に関連して説明し，他の実施形態を翼端装置に関連してて説明してきたが，本発明に係るアップロック装置は，格納式着陸ギヤ装置及び翼端装置の両者，並びにその他の航空機部品と共に使用可能である点に留意されたい。
【０１０９】
以上の説明において，既知の，明白な又は予見可能な均等物を有する整数又は構成要素に言及されている場合，そのような均等物は，個別に記載されていると同等に本明細書に組み込まれる。本発明の真の技術的範囲を確定するためには特許請求の範囲の記載を参酌すべきであり，そのような同等物を包含するものと解釈すべきである。また，好適，有利，便利等として説明されている本発明の整数又は特徴が任意的なものであり，独立請求項の範囲を限定するものではない。更に，そのような任意の整数又は特徴は，いくつかの実施形態では潜在的な利点があるが，他の実施形態では望ましくなく，従って採用されない場合があることに留意されたい。
【図１ａ】
2020512953.tif 000003
【図１ｂ】
2020512953.tif 000004
【図２】
2020512953.tif 000005
【図３（ａ）】
2020512953.tif 000006
【図３（ｂ）】
2020512953.tif 000007
【図４】
2020512953.tif 000008
【図５】
2020512953.tif 000009
【図６（ａ）】
2020512953.tif 000010
【図６（ｂ）】
2020512953.tif 000011
【図７（ａ）】
2020512953.tif 000012
【図７（ｂ）】
2020512953.tif 000013
【図８（ａ）】
2020512953.tif 000014
【図８（ｂ）】
2020512953.tif 000015
【図９（ａ）】
2020512953.tif 000016
【図９（ｂ）】
2020512953.tif 000017
【図９（ｃ）】
2020512953.tif 000018
【図９（ｄ）】
2020512953.tif 000019
【図９（ｅ）】
2020512953.tif 000020
【図９（ｆ）】
2020512953.tif 000021
【図１０（ａ）】
2020512953.tif 000022
【図１０（ｂ）】
2020512953.tif 000023
【図１１（ａ）】
2020512953.tif 000024
【図１１（ｂ）】
2020512953.tif 000025
【図１２（ａ）】
2020512953.tif 000026
【図１２（ｂ）】
2020512953.tif 000027
【図１３】
2020512953.tif 000028
【図１４】
2020512953.tif 000029
【国際調査報告】
2020512953.tif 000030
2020512953.tif 000031
2020512953.tif 000032